(57)【特許請求の範囲】
【請求項１】
情報記録媒体上の所定数のデータフレーム群で構成される情報単位に付加される制御情報列であって、基本単位毎に分割された制御情報単位を、１つの前記データフレームを格納領域とし、他の１つ以上の前記データフレームを予備領域用の予備データフレームとする単位格納領域に格納してなる前記制御情報列を再生する際、前記制御情報列に含まれる特定制御情報単位の検出に基づく同期タイミングにより後続の前記制御情報単位の検出を開始する情報再生装置において、
前記特定制御情報単位が格納されている前記データフレームを基準として前記データフレーム毎に対応する識別子を設定する設定部と、
検出される後続の前記制御情報単位が所定制御情報単位である場合、該所定制御情報単位が格納されている前記データフレームの識別子が、該所定制御情報単位の格納が期待される所定の前記データフレームの識別子とは異なることを検出する不一致検出部とを備え、
前記不一致検出部からの出力に基づき、前記特定制御情報単位の再検出を行うことを特徴とする情報再生装置。
【請求項２】
前記所定制御情報単位は、
前記同期タイミングを生成した後に検出される前記特定制御情報単位であり、
不一致検出回数を計数する計数器と、
前記計数器からの計数値と、前記特定制御情報単位の再検出動作を起動すべき所定計数値とを比較する比較器とを備えることを特徴とする請求項１に記載の情報再生装置。
【請求項３】
前記所定制御情報単位が、前記単位格納領域の前記格納領域である前記データフレームに格納されていると期待される場合、
前記不一致検出部は、
前記所定制御情報単位を検出した前記データフレームの前記識別子が、前記予備データフレーム位置であることを検出する検出器と、
前記検出器からの不一致検出回数を計数する計数器と、
前記計数器からの計数値と、前記特定制御情報単位の再検出動作を起動すべき所定計数値とを比較する比較器とを備えることを特徴とする請求項１に記載の情報再生装置。
【請求項４】
情報記録媒体上の所定数のデータフレーム群で構成される情報単位に付加される制御情報列であって、基本単位毎に分割された制御情報単位を、１つの前記データフレームを格納領域とし、他の１つ以上の前記データフレームを予備領域用の予備データフレームとする単位格納領域に格納してなる前記制御情報列を再生する際、前記制御情報列に含まれる特定制御情報単位の検出に基づく同期タイミングにより後続の前記制御情報単位の検出を開始する情報再生装置において、
前記特定制御情報単位が格納されている前記データフレームを基準として前記データフレーム毎に対応する識別子を設定する設定部と、
検出される後続の前記制御情報単位が、前記識別子に対応する前記データフレームを含む前記単位格納領域毎に１対１に対応して検出されない場合に不一致検出を行う不一致検出部とを備え、
前記不一致検出部からの出力に基づき、前記特定制御情報単位の再検出を行うことを特徴とする情報再生装置。
【請求項５】
前記不一致検出部は、
前記単位格納領域を構成する前記データフレームに対応する前記識別子において、前記制御情報単位の有無を検出する検出器と、
前記検出器により前記制御情報単位の検出が確認されない前記単位格納領域の数を計数する計数器と、
前記計数器からの計数値と、前記特定制御情報単位の再検出動作を起動すべき所定計数値とを比較する比較器とを備えることを特徴とする請求項４に記載の情報再生装置。
【請求項６】
前記不一致検出部は、
隣接して検出される前記制御情報単位における前記各識別子に対して、前記識別子に対応する前記単位格納領域を検出する検出器と、
前記検出器により検出された前記単位格納領域の間に少なくとも１以上の前記単位格納領域を有する場合の回数を計数する計数器と、
前記計数器からの計数値と、前記特定制御情報単位の再検出動作を起動すべき所定計数値とを比較する比較器とを備えることを特徴とする請求項４に記載の情報再生装置。
【請求項７】
前記不一致検出部は、
前記単位格納領域を構成する前記データフレームに対応する前記識別子において、前記制御情報単位の有無を検出する検出器と、
前記検出器により２以上の前記制御情報単位が検出される前記単位格納領域の数を計数する計数器と、
前記計数器からの計数値と、前記特定制御情報単位の再検出動作を起動すべき所定計数値とを比較する比較器とを備えることを特徴とする請求項４に記載の情報再生装置。
【請求項８】
前記不一致検出部は、
隣接して検出される前記制御情報単位における前記各識別子に対して、前記識別子に対応する前記単位格納領域を検出する検出器と、
前記検出器により検出された前記各単位格納領域が同一である場合の回数を計数する計数器と、
前記計数器からの計数値と、前記特定制御情報単位の再検出動作を起動すべき所定計数値とを比較する比較器とを備えることを特徴とする請求項４に記載の情報再生装置。
【請求項９】
前記不一致検出部では、
第１の前記単位格納領域を構成する前記データフレームに対応する前記識別子において、前記制御情報単位を検出せず、且つ、
隣接ずる第２の前記単位格納領域を構成する前記データフレームに対応する前記識別子のうち２以上の前記識別子において、前記制御情報単位を検出することを特徴とする請求項４に記載の情報再生装置。
【請求項１０】
請求項１乃至９のうち少なくとも何れか１つに記載の情報再生装置を備えることを特徴とする情報記録媒体再生システム。
【発明の詳細な説明】
【０００１】
【発明の属する技術分野】
本発明は、ＤＶＤ（Ｄｉｇｉｔａｌ  Ｖｅｒｓａｔｉｌｅ  Ｄｉｓｃ）等の情報記録媒体に記録されている情報の再生に関するものであり、特に、同期信号やアドレス情報等の制御情報の再生に関するものである。
【０００２】
【従来の技術】
ＤＶＤに代表される大容量情報記録媒体のうち、情報の追記ができるＤＶＤ−Ｒ（ＤＶＤ−Ｒｅｃｏｒｄａｂｌｅ）や、情報の書き換えが可能なＤＶＤ−ＲＷ（ＤＶＤ−ＲｅＷｒｉｔａｂｌｅ）では、レーザ光等の光源を誘導するガイド用のトラックであるランド（Ｌａｎｄ）トラックに挟まれたグルーブ（Ｇｒｏｏｖｅ）トラックを情報記録用トラックとして情報が記録されている。ここで、光源から見て、グルーブトラックは凸部を形成し、ランドトラックは凹部を形成しており、凹凸のトラックが光ディスクの円周に沿って形成されている。
【０００３】
更に、記録されている情報の属性に関する情報と、情報記録の１単位であるデータフレームの同期をとるための同期情報とが、制御情報として記録されている。この制御情報は、情報記録用として使用されていないランドトラックに配置され、ランドプリピット（Ｌａｎｄ  Ｐｒｅ  Ｐｉｔ（以下、ＬＰＰ））情報と称される。
【０００４】
ＤＶＤ−Ｒ、ＤＶＤ−ＲＷ等の情報記録媒体では、２キロバイトの情報群を１データセクタとして構成され、ＬＰＰ情報はこの１データセクタ毎に１３ビットを１単位としてビット構成されている。図１５にＬＰＰ情報の１データセクタあたりのビット構成を示す。ＬＰＰ情報の第１ビットには同期マークＬＳＹ、第２乃至第５ビットにはデータセクタ間のアドレス（以下、レラティブアドレスと称す）を表すアドレスビット（Ｒｅｌａｔｉｖｅ  Ａｄｄｒｅｓｓ３乃至０）、更に第６乃至第１３ビットにはデータビット（Ｄａｔａ７乃至０）が格納される構成である。セクタの先頭に配置されている１ビット幅の同期マークは、後述の１データセクタを２６分割するデータフレーム（図１７、参照）の違いにより異なる同期マークＬＳＹが設定されている。具体的には、各データフレームを０から付番して偶数番号のデータフレームをイーブン（Ｅｖｅｎ）領域、奇数番号のデータフレームをオド（Ｏｄｄ）領域とする。このとき、Ｅｖｅｎ領域のフレームに配置される場合には「１１１」チャネルビットの同期マークＬＳＹが設定され、Ｏｄｄ領域のフレームに配置される場合には「１１０」チャネルビットの同期マークＬＳＹが設定される。この同期マークＬＳＹによりセクタの同期がとられると共にフレーム領域のＥｖｅｎ／Ｏｄｄの別が識別される。続く１２ビットは全て“０”あるいは“１”のデータが格納されている。媒体上はビット”０“は「１００」チャネルビットで表され、ビット”１“は「１０１」チャネルビットで表される。前半第２乃至第５ビットの４ビットのレラティブアドレスは、セクタの順序を規定している。即ち、図１６に示すように“００００“から”１１１１“までのアドレスで昇べきに連続して識別された第１乃至第１６セクタを一纏まりとして１データブロックを構成する。残りの第６乃至第１３ビットの８ビットのデータビットは、誤り訂正コード（ＥＣＣ）用のブロックアドレスとパリティが割り当てられている。１データブロックをいくつかのセクタ毎に分割し、分割された所定数のセクタから検出されたデータビット列について誤りの検出と訂正を行う。同期マークＬＳＹを基準として検出されるＬＰＰ情報のビット列について、データセクタ間の４ビットのレラティブアドレスの連続性が確認され、且つ所定数のセクタにおけるデータビット列のエラー検出及びエラー訂正により誤りなくデータビット列が読み出されることが確認できれば、ＬＰＰ情報の再生が正常に行えたとして読み出し状態がロックされる。
【０００５】
１データセクタのトラックフォーマットを図１７に示す。前述したように、１セクタは２６のデータフレームに分割され、分割されたフレームは０から数えて偶数番目のフレームをＥｖｅｎ領域とし、奇数番目のフレームをＯｄｄ領域として識別されている。基本的にＬＰＰ情報は、Ｅｖｅｎ領域のフレームに１ビットづつ配置される。即ち、第０フレームには同期マークＬＳＹが、第２、４、６、８フレームにはアドレスビットが、第１０、１２、１４、１６、１８、２０、２２、２４フレームにはデータビットが配置されている。これに対してＯｄｄ領域は、予備のデータフレーム領域として確保されており、第１フレームは第０フレームの同期マークＬＳＹの予備領域として、第３、５、７、９フレームは第２、４、６、８フレームのアドレスビットの予備領域として、第１１、１３、１５、１７、１９、２１、２３、２５フレームは第１０、１２、１４、１６、１８、２０、２２、２４フレームのデータビットの予備領域として確保されている。
【０００６】
上記のトラックフォーマットにおけるＬＰＰ情報を光ディスク等の情報記録媒体に配置した場合を図１８に示す。ＬＰＰ情報は、情報が記録されているグルーブトラックのフレーム先頭位置に一致したランドトラックに配置される。媒体の円周に沿って形成されているグルーブトラックにレーザ光等の光源を照射することによりグルーブトラック上に記録された情報を読みとる。この時、光源のスポット径をグルーブトラックの幅より広く設定しておき隣接ずるランドトラックの一部にも照射するようにする。これにより、ランドトラック上に配置されているＬＰＰ情報を読みとる構成である。ここで、ＬＰＰ情報は基本的にＥｖｅｎ領域のデータフレーム毎に付与されるためディスク上データフレーム２つ分のピッチで繰り返し配置されることとなり、それがディスクの中心に向かって連続して繰り返される構造となっている。そのためグルーブトラックを挟んで隣接する両側のランドトラックにＬＰＰ情報が、光源の走査方向に重なりを持って近接する虞がある。これではＬＰＰ情報の読みとりが正確に行えないため、ＬＰＰ情報同士が重なりを有する場合には何れか一方のＬＰＰ情報を隣接するデータフレームであるＯｄｄ領域に移動させることが一般的に行われる。この場合、移動先のフレーム番号を本来のＥｖｅｎ領域のデータフレーム番号に対して１つ大きな番号のＯｄｄ領域のデータフレーム番号に設定してＯｄｄ領域をＥｖｅｎ領域の予備領域として構成すれば、ディスク上でのＬＰＰ情報の重なりを回避することができる。
【０００７】
従来技術におけるＬＰＰ再生部１０００を図１９に示す。光源により読みとられる３チャネルビットのＬＰＰ情報は、３チャネルビットのシフトレジスタ１０１に入力される。ＬＰＰパターン比較部１０２では、シフトレジスタ１０１から入力されたＬＰＰ情報が、Ｅｖｅｎ領域の同期マークである「１１１」チャネルビット、Ｏｄｄ領域の同期マークである「１１０」チャネルビット、データビット“０”を表す「１００」チャネルビット、“１”を表す「１０１」チャネルビットの何れに当たるかが比較される。同期マークＬＳＹに一致した場合には同期マーク検出部１０３に同期マークＬＳＹを出力し、データビットに一致した場合にはデータ検出部１０５にアドレスやデータを表すデータビット信号Ｌａ／Ｌｄを出力する。
【０００８】
同期マーク検出部１０３では、ＬＰＰパターン比較部１０２より同期マークＬＳＹが入力されると、入力された同期マークＬＳＹがＥｖｅｎ領域のデータフレームでの同期マーク「１１１」であるかＯｄｄ領域のデータフレームでの同期マーク「１１０」であるかを判断し検出パルスＳＹを出力する。同時に後述するフレームカウンタ１０６のカウンタ初期値を設定する。即ち、Ｅｖｅｎ領域に対応する同期マーク「１１１」を検出した場合にはカウンタ初期値を０に設定し、Ｏｄｄ領域に対応する同期マーク「１１０」を検出した場合にはカウンタ初期値を１に設定する。
【０００９】
また、同期マーク検出部１０３には、フレームカウンタ１０６の最下位ビットがＥｖｅｎ／Ｏｄｄ識別信号Ｆ０として入力されている。同期マーク検出後の次サイクル以降のデータセクタサイクルにおいて、同期マーク検出部１０３は、ＬＰＰパターン比較部１０２により検出される同期マークＬＳＹとＥｖｅｎ／Ｏｄｄ識別信号Ｆ０とを検出する。ＤＶＤ−Ｒ等の情報記録媒体再生時の媒体の回転制御における誤差等の微調整のため、図示しない信号により後述のフレーム長カウンタ１０７のカウント値を調整してフレームカウンタ１０６のカウントアップタイミングを変更し次データセクタサイクルでの検出タイミングを調整するためである。
【００１０】
データ検出部１０５では、入力された３チャネルビットのデータビット信号Ｌａ／Ｌｄを復調して、“０”、“１”の復調データＡｄｄ／Ｄａｔａを出力する。出力された復調データＡｄｄ／Ｄａｔａは、アドレス／データ格納レジスタ１０９に入力される。
【００１１】
フレームカウンタ１０６は、イネーブル端子Ｅへのイネーブル信号によりデータフレーム番号０乃至２５をカウントする。ここで、図１７に示す１データセクタにおけるトラックフォーマットより、データフレーム番号０が同期マーク用データフレームのうちＥｖｅｎ領域のデータフレームを示しており、同期マーク「１１１」が格納されるデータフレームである。データフレーム番号１が同期マーク用データフレームのうちＯｄｄ領域のデータフレームを示しており、同期マーク「１１０」が格納されるデータフレームである。これらのデータフレーム番号０及び１をＥｖｅｎ／Ｏｄｄ識別信号Ｆ０として同期マーク検出部１０３に出力する。またデータフレーム番号２乃至９が４ビットのレラティブアドレス用のデータフレームであり、ビット毎にＥｖｅｎ／Ｏｄｄ領域の２つのデータフレームを１ビットの格納領域としてデータフレーム毎に付番されている。更にデータフレーム番号１０乃至２５が、８ビットのデータ用のデータフレームであり、ビット毎にＥｖｅｎ／Ｏｄｄ領域の２つのデータフレームを１ビットの格納領域としてデータフレーム毎に付番されている。そしてデータフレーム番号２及び２５をアドレス／データ位置信号ＦＡ／Ｄとして、データ検出部１０５に出力する。
【００１２】
フレーム長カウンタ１０７は、イネーブル端子Ｅへのイネーブル信号によりフレームを構成するクロック数をカウントしカウントアップ信号Ｃによりフレームカウンタ１０６のカウントアップタイミングを決定する。
【００１３】
フレームカウンタ１０６及びフレーム長カウンタ１０７のイネーブル端子Ｅへのイネーブル信号は、セットリセットフリップフロップ（ＳＲＦＦ）１０８からの出力信号Ｑである。ＳＲＦＦ１０８は、そのセット入力Ｓに同期マーク検出部１０３からの検出信号ＳＹが入力されると共に、リセット入力Ｒにはリセット信号ＲＳＴが入力されている。
【００１４】
また、フレームカウンタ１０６の初期カウント値は、同期マーク「１１１」が検出された場合はＥｖｅｎ領域のデータフレームで検出されたとして０（Ｆ０＝０）に設定され、同期マーク「１１０」が検出された場合はＯｄｄ領域のデータフレームで検出されたとして１（Ｆ０＝１）に設定されなければならない。この初期設定値は同期マーク検出部１０３からの図示しない信号により行われる。即ち、ＬＰＰパターン比較部１０２からの同期マークＬＳＹを検出し、「１１１」が検出された場合にはフレームカウンタ１０６の初期値を０（Ｆ０＝０）に設定し、「１１０」が検出された場合にはフレームカウンタ１０６の初期値を１（Ｆ０＝１）に設定することにより、入力されるＬＰＰ情報が格納されているデータフレームとフレームカウンタ値との整合をとる。
【００１５】
また、フレーム長カウンタ１０７は、ＤＶＤ−Ｒでは１データフレームが、１８６チャネルビットで構成されるウォブリング信号の８周期分で構成されていることから、カウント値として１８６×８＝１４８８カウントを基本カウントとして構成されている。実際にはＤＶＤ−Ｒ等の情報記録媒体再生時の媒体の回転制御における誤差等により上記の基本カウント数ではずれが生じてしまう場合がある。そのため、同期マーク検出部１０３から同期マーク検出後の次サイクル以降のデータセクタサイクルにおいて検出される同期マークＬＳＹとＥｖｅｎ／Ｏｄｄ識別信号Ｆ０との比較検出結果を、図示しない誤差等の微調整信号として入力することによりカウント値の微調整を行って次データセクタサイクルでの検出タイミングを調整している。
【００１６】
ここで図１９におけるＬＰＰ情報の再生動作について説明する。先ず、リセット信号ＲＳＴ等が入力された初期化状態とする。ＳＲＦＦ１０８はリセット状態であり、フレームカウンタ１０６及びフレーム長カウンタ１０７のイネーブル端子Ｅには、共にディスエーブル信号が入力され、カウンタ１０６、１０７はリセット及び動作停止状態にある。この状態ではＬＰＰ再生部１０００はフリーランの状態にあり、フレームカウンタ１０６からのＥｖｅｎ／Ｏｄｄ識別信号Ｆ０が初期化されて（Ｆ０＝０）同期マーク検出部１０３が同期マーク「１１１」あるいは「１１０」の検出待ち状態にある。
【００１７】
フレームカウンタ１０６の初期化状態で、ＬＰＰパターン比較部１０２により同期マーク検出が行われると、同期マーク検出部１０３は、同期マーク検出部１０３からの信号に応じてＥｖｅｎ／Ｏｄｄ識別信号Ｆ０を初期化設定する。即ち、同期マーク検出部１０３により検出された同期マークが「１１１」であればＥｖｅｎ領域のデーフレームにおける同期マークＬＳＹであり、「１１０」であればＯｄｄ領域のデータフレームにおける同期マークＬＳＹであることを識別する。またフレームカウンタ１０６のカウント値を、Ｅｖｅｎ領域の同期マーク「１１１」に対しては０（Ｆ０＝０）に、Ｏｄｄ領域の同期マーク「１１０」に対しては１（Ｆ０＝１）に初期化する。そして検出パルスＳＹを出力して、ＳＲＦＦ１０８をセットして出力信号Ｑを出力する。出力信号Ｑによりフレームカウンタ１０６及びフレーム長カウンタ１０７が動作を開始する。即ち、フレーム長カウンタ１０７が１フレーム長分のカウント値になりカウントアップすべきタイミングになると、フレームカウンタ１０６に対してカウントアップ信号Ｃを出力し、フレームカウンタ１０６のカウント値が１つインクリメントされる。１データセクタを構成する２６データフレームのカウントを０乃至２５のカウント値により行い、カウント値２５に達した後は再度０に戻り次データセクタサイクルにおけるデータフレームについて同様のカウント動作を繰り返す。フレームカウンタ１０６の動作後は、カウント値２乃至２５をアドレス／データ位置信号ＦＡ／Ｄをデータ出力部１０５及びアドレス／データ格納レジスタ１０９に出力する。アドレス／データ位置信号ＦＡ／Ｄに合わせてデータ検出部１０５がデータの復調を行い復調されるアドレスあるいはデータがどのデータフレーム位置のものであるかが認識されると共に、データフレーム番号によりデータフレームにおけるＥｖｅｎ／Ｏｄｄの領域の別も認識される。復調されたアドレス／データＡｄｄ／Ｄａｔａはアドレス／データ格納レジスタ１０９に格納されて、アドレスの連続性及びデータのエラー検出や訂正を経て、ＬＰＰ情報の再生が行えたとしてロック状態を確保して以降のデータ再生を行う。
【００１８】
【発明が解決しようとする課題】
ＬＰＰ情報は、Ｅｖｅｎ領域のフレームを基本として配置されながら、前述の場合についてのみＯｄｄ領域のフレームに予備的に配置されていることから、１データセクタに格納されている１３ビットのＬＰＰ情報を正しく再生するためには、最初のフレームに配置される同期マークＬＳＹが、Ｅｖｅｎ領域のフレームに配置されているかＯｄｄ領域のフレームに配置されているかの識別も含めて正しく検出してフレーム管理を行うことが重要である。従来技術においては、レラティブアドレスの連続性の確認やデータビットのエラー検出・訂正によりＬＰＰ情報を再生していた。
【００１９】
しかしながら、ＬＰＰ情報が、１フレームおきのＥｖｅｎ領域のフレーム毎に格納されていることを基本とし、予備的にＯｄｄ領域のフレームにも格納されている場合もあることから、同期マークＬＳＹのフレーム種別を逆転して誤検出する場合、検出すべきフレームがずれた状態でＬＰＰ再生部１０００による再生動作が正常に行われてロック状態と認識されてしまう虞がある。具体的には、Ｅｖｅｎ領域の同期マークである「１１１」を誤って「１１０」として検出してしまう場合や、Ｏｄｄ領域の同期マークである「１１０」を誤って「１１１」として検出してしまう場合である。両者とも媒体上のＥｖｅｎ／Ｏｄｄ領域は、ＬＰＰ再生部１０００ではＯｄｄ／Ｅｖｅｎ領域として逆転して認識されてしまう。この場合でも、例えば、「１１１」を「１１０」と誤検出した場合には、Ｅｖｅｎ領域のＬＰＰ情報はＯｄｄ領域の情報として検出されてしまい、ＬＰＰ情報が媒体上のＥｖｅｎ領域に配置されている限り見かけ上正しく再生されたと判断されてしまう虞がある。このずれの検出は媒体上のＬＰＰ情報がＯｄｄ領域に配置されるまでは確認できなくなってしまい問題である。
【００２０】
また、媒体上のＯｄｄ領域にＬＰＰ情報が配置されている場合には、特定フレームにおけるＬＰＰ情報の欠落やＥｖｅｎ／Ｏｄｄの双方の領域でのＬＰＰ情報の２重取得等が発生することとなるが、ＬＰＰ再生部１０００の回路構成等の特性によりＬＰＰ情報が正しく取得できない場合にデフォルト値として特定データ値が設定される場合がある。このデフォルトデータ値によってはレラティブアドレスの連続性やデータビットのエラー検出・訂正の条件を満足してしまうことも考えられ、更にデータビットに対してはエラー訂正機能により修正されてしまうことも想定される。そのため再生のずれの検出に、必要以上の長時間を要することも考えられＬＰＰ再生動作における応答性、信頼性を図ることができず問題である。
【００２１】
上記の同期マークＬＳＹにおける誤検出を図２０の具体例について詳述する。図２０は、Ｅｖｅｎ領域のフレームにおける「１１１」チャネルビットの同期マークＬＳＹを「１１０」チャネルビットと誤検出してしまう場合である。媒体上のＥｖｅｎ領域のフレーム０において同期マーク「１１１」を「１１０」と誤検出してしまうと、同期マークＬＳＹがＯｄｄ領域のフレームで確認されたと誤認識され、フレームカウンタ１０６は、カウント値１をプリセットして、以下順次カウントアップすることとなる。即ち、媒体上の実際のフレームに対してフレームカウンタで管理されるフレーム番号が１フレーム進んだ関係となり、Ｅｖｅｎ領域とＯｄｄ領域とが逆転する関係となる。データ検出動作はフレームカウンタ１０６に沿って進められるので、１つインクリメントされたカウンタ値２でＥｖｅｎ領域でのレラティブアドレス３を探すが、実際は媒体上のＯｄｄ領域のフレーム１を探すこととなる。基本的にデータ等はＥｖｅｎ領域に配置されているので、ビット”０“を表す「１００」も、ビット”１“を表す「１０１」も見つけられない。そこでフレームカウンタ１０６を更に１つインクリメントしカウント値を３としてＯｄｄ領域であるとして媒体上のＥｖｅｎ領域のフレーム２の検出をする。この領域にはレラティブアドレス３が配置されているので同アドレスビットを検出することとなる。以下、同様の動作を繰り返し本来Ｅｖｅｎ領域のフレームにおけるＬＰＰ情報として検出されるべき情報が、誤ってＯｄｄ領域で見つけられたこととなる。この場合でも、本来のデータがＥｖｅｎ領域にあれば検出位置はＯｄｄ領域にずれても同じＬＰＰ情報として検出することができてしまう。その結果、レラティブアドレスは、その連続性を維持することができ、データビットも正規のビットのものとして検出され、見かけ上ＬＰＰ情報は正しく再生されることとなる。
【００２２】
一方、特定のＬＰＰ情報が媒体上のＯｄｄ領域に配置されていると（図２０（Ａ）中、フレーム１５の場合）、フレームカウンタ１０６の指示でＯｄｄ領域にあるとして検出されるべきデータが存在しなくなり（図２０（Ｂ）中、フレームカウンタ値１５の場合）Ｅｖｅｎ領域とＯｄｄ領域の組み合わせで取得されるべき１ビットのＬＰＰ情報が欠落してしまうこととなる（図２０（Ｂ）中、フレームカウンタ値１４、１５の場合）。逆に引き続くフレームカウンタ値１６、１７には、各々媒体上のＯｄｄ領域のＬＰＰ情報（図２０（Ａ）中、フレーム１５）そして次フレームのＥｖｅｎ領域のＬＰＰ情報（図２０（Ａ）中、フレーム１６）データが読み込まれる。１ビットのＬＰＰ情報を取得すべきＥｖｅｎ／Ｏｄｄ領域の２フレームで２ビットのＬＰＰ情報が２重に取得されてしまうこととなる。この場合には、ＬＰＰ再生部１０００ではＬＰＰ情報は正しく検出できないが、前述のデフォルト値が設定される場合もあり、見かけ上、ＬＰＰ情報は正しく再生される場合がある。
【００２３】
本発明は前記従来技術の問題点を解消するためになされたものであり、情報記録媒体上の制御情報の再生の際、同期マークの誤検出に伴うフレーム管理のずれを迅速且つ確実に検出し同期マークの再検出動作を行うことにより、制御情報列の正確な再生を行うことができる情報再生装置、及び情報記録媒体再生システムを提供することを目的とする。
【００２４】
【課題を解決するための手段】
前記目的を達成するために、請求項１に係る情報再生装置は、情報記録媒体上の所定数のデータフレーム群で構成される情報単位に付加される制御情報列であって、制御情報単位を、１つのデータフレームを格納領域とし他の１つ以上のデータフレームを予備領域用の予備データフレームとする単位格納領域に格納してなる制御情報列を再生する際、制御情報列に含まれる特定制御情報単位の検出に基づく同期タイミングにより後続の制御情報単位の検出を開始する情報再生装置において、特定制御情報単位が格納されているデータフレームを基準としてデータフレーム毎に対応する識別子を設定する設定部と、検出される後続の制御情報単位が所定制御情報単位である場合、該所定制御情報単位が格納されているデータフレームの識別子が、該所定制御情報単位の格納が期待される所定のデータフレームの識別子とは異なることを検出する不一致検出部とを備え、不一致検出部からの出力に基づき、特定制御情報単位の再検出を行うことを特徴とする。
【００２５】
請求項１の情報再生装置では、設定部は、特定制御情報単位が格納されているデータフレームを基準としてデータフレーム毎に対応する識別子を設定し、不一致検出部において、検出される後続の制御情報単位が所定制御情報単位である場合、該所定制御情報単位が格納されているデータフレームの識別子が、該所定制御情報単位の格納が期待される所定のデータフレームの識別子とは異なることを検出する。不一致検出部からの出力に基づいて特定制御情報単位の再検出を行う。
【００２６】
これにより、同期タイミング生成用の特定制御情報単位が格納されているデータフレームを基準としてデータフレーム毎に対応する識別子を設定するので、データフレーム群内の所定のデータフレーム位置に格納されている所定制御情報単位に対して、識別子を検出すれば、この所定制御情報単位が本来のデータフレーム位置で検出されたものか否かを確認することができる。予備のデータフレームを含んだ単位格納領域に格納されている制御情報単位を検出して制御情報列を再生する際、特定制御情報単位の誤検出に伴う同期タイミングと制御情報単位が格納されているデータフレームとのずれのある状態で誤って再生動作が行われた場合にも、フレーム管理のずれを迅速且つ確実に検出し特定制御情報単位の再検出動作を行うことにより、制御情報列の正確な再生を行うことができる。フレーム管理のずれからの復帰を早め、制御情報列の再生のＴＡＴ向上に寄与するところ大である。
【００２７】
また、請求項２に係る情報再生装置は、請求項１に記載の情報再生装置において、所定制御情報単位は、同期タイミングを生成した後に検出される特定制御情報単位であり、不一致検出回数を計数する計数器と、計数器からの計数値と、特定制御情報単位の再検出動作を起動すべき所定計数値とを比較する比較器とを備えることを特徴とする。
【００２８】
請求項２の情報再生装置では、所定制御情報単位が、同期タイミングを生成した後に検出される特定制御情報単位である場合、計数器は、この不一致検出回数を計数する。比較器は、計数値が特定制御情報単位の再検出動作を起動すべき所定計数値と比較して一致した場合に前記再検出動作を指示する。
【００２９】
これにより、特定制御情報単位により同期タイミングを生成した後に検出されるデータフレーム群における特定制御情報単位を所定制御情報単位とするので、データフレーム群を１サイクルとしてサイクル毎に特定制御情報単位が所定のデータフレーム位置で検出されるか否かを確認することができる。
また、検出回数を計数することができ、再検出動作を起動すべき所定計数値を変更するだけで特定制御情報単位の再検出動作のタイミングを変更することができ、特定制御情報単位の誤検出に伴う同期タイミングと制御情報単位が格納されているデータフレームとのずれのある状態で誤って再生動作が行われた場合にも、フレーム管理のずれを迅速且つ確実に検出し、制御情報列の正確な再生を行うことができる。フレーム管理のずれからの復帰を早め、制御情報列の再生のＴＡＴ向上に寄与するところ大である。
【００３０】
また、請求項３に係る情報再生装置は、請求項１に記載の情報再生装置において、所定制御情報単位が、単位格納領域の格納領域であるデータフレームに格納されていると期待される場合、不一致検出部は、所定制御情報単位を検出したデータフレームの識別子が、予備データフレーム位置であることを検出する検出器と、検出器からの不一致検出回数を計数する計数器と、計数器からの計数値と、特定制御情報単位の再検出動作を起動すべき所定計数値とを比較する比較器とを備えることを特徴とする。
【００３１】
請求項３の情報再生装置では、所定制御情報単位が、単位格納領域の格納領域であるデータフレームに格納されていると期待される場合、検出器は、所定制御情報単位を検出したデータフレームの識別子が予備データフレーム位置であることを検出し、計数器は、この不一致検出回数を計数する。比較器は、計数値が特定制御情報単位の再検出動作を起動すべき所定計数値と比較して一致した場合に前記再検出動作を指示する。
【００３２】
これにより、通常の格納場所である単位格納領域における格納領域に制御情報単位が格納されている場合を所定制御情報単位とするので、制御情報単位が、通常の格納領域に対応する識別子のデータフレームで検出されるか、予備領域に対応する識別子のデータフレームで検出されるかで、特定制御情報単位の誤検出に伴うフレーム管理のずれを確認することができる。
即ち、原則として格納領域に対応する識別子のデータフレームで検出されるべき制御情報単位が、所定頻度以上、予備領域に対応する識別子のデータフレームで検出されればフレーム管理のずれを確認することができる。
この時の頻度は検出回数を計数することで確認することができ、再検出動作を起動すべき所定計数値を変更するだけで特定制御情報単位の再検出動作のタイミングを変更することができる。フレーム管理のずれを迅速且つ確実に検出し、制御情報列の正確な再生を行うことができる。フレーム管理のずれからの復帰を早め、制御情報列の再生のＴＡＴ向上に寄与するところ大である。
【００３３】
また、請求項４に係る情報再生装置は、情報記録媒体上の所定数のデータフレーム群で構成される情報単位に付加される制御情報列であって、制御情報単位を、１つのデータフレームを格納領域とし他の１つ以上のデータフレームを予備領域用の予備データフレームとする単位格納領域に格納してなる制御情報列を再生する際、制御情報列に含まれる特定制御情報単位の検出に基づく同期タイミングにより後続の制御情報単位の検出を開始する情報再生装置において、特定制御情報単位が格納されているデータフレームを基準としてデータフレーム毎に対応する識別子を設定する設定部と、検出される後続の制御情報単位が、識別子に対応するデータフレームを含む単位格納領域毎に１対１に対応して検出されない場合に不一致検出を行う不一致検出部とを備え、不一致検出部からの出力に基づき、特定制御情報単位の再検出を行うことを特徴とする。
【００３４】
請求項４の情報再生装置では、設定部は、特定制御情報単位が格納されているデータフレームを基準としてデータフレーム毎に対応する識別子を設定し、不一致検出部において、検出される後続の制御情報単位が、識別子に対応するデータフレームを含む前記単位格納領域毎に１対１に対応して検出されないことを検出する。不一致検出部からの出力に基づいて特定制御情報単位の再検出を行う。
【００３５】
これにより、１つの単位格納領域には制御情報単位が格納されているので、検出された制御情報単位に対応する識別子により、制御情報単位と単位格納領域との関係を確認すればフレーム管理のずれを確認することができる。
また、この確認は、隣接する制御情報単位間の検出で行うことができるので、フレーム管理のずれを迅速且つ確実に検出し、制御情報列の正確な再生を行うことができる。フレーム管理のずれからの復帰を早め、制御情報列の再生のＴＡＴ向上に寄与するところ大である。
【００３６】
また、請求項５に係る情報再生装置は、請求項４に記載の情報再生装置において、不一致検出部は、単位格納領域を構成するデータフレームに対応する識別子において、制御情報単位の有無を検出する検出器と、検出器により制御情報単位の検出が確認されない単位格納領域の数を計数する計数器と、計数器からの計数値と、特定制御情報単位の再検出動作を起動すべき所定計数値とを比較する比較器とを備えることを特徴とする。
【００３７】
請求項５の情報再生装置では、検出器は、単位格納領域を構成するデータフレームに対応する識別子において、制御情報単位の有無を検出し、計数器は、検出器により制御情報単位の検出が確認されない単位格納領域の数を計数する。比較器は、計数値が特定制御情報単位の再検出動作を起動すべき所定計数値と比較して一致した場合に再検出動作を指示する。
【００３８】
これにより、１つの単位格納領域には制御情報単位が格納されているので、検出された制御情報単位に対応する識別子により、制御情報単位が検出されない単位格納領域の存在を確認すればフレーム管理のずれを確認することができる。
また、この確認は、隣接する制御情報単位間の検出で行うことができるので、フレーム管理のずれを迅速且つ確実に検出し、制御情報列の正確な再生を行うことができる。フレーム管理のずれからの復帰を早め、制御情報列の再生のＴＡＴ向上に寄与するところ大である。
更に、この時の頻度は検出回数を計数することで確認することができ、再検出動作を起動すべき所定計数値を変更するだけで特定制御情報単位の再検出動作のタイミングを変更することができる。
【００３９】
また、請求項６に係る情報再生装置は、請求項４に記載の情報再生装置において、不一致検出部は、隣接して検出される制御情報単位における各識別子に対して、識別子に対応する単位格納領域を検出する検出器と、検出器により検出された単位格納領域の間に少なくとも１以上の単位格納領域を有する場合の回数を計数する計数器と、計数器からの計数値と、特定制御情報単位の再検出動作を起動すべき所定計数値とを比較する比較器とを備えることを特徴とする。
【００４０】
請求項６の情報再生装置では、検出器は、隣接して検出される制御情報単位における各識別子に対して、識別子に対応する単位格納領域を検出し、計数器は、検出器により検出された単位格納領域の間に少なくとも１以上の単位格納領域を有する場合の回数を計数する。比較器は、計数値が特定制御情報単位の再検出動作を起動すべき所定計数値と比較して一致した場合に再検出動作を指示する。
【００４１】
これにより、１つの単位格納領域には制御情報単位が格納されているので、検出された制御情報単位に対応する識別子により、検出された制御情報単位間に制御情報単位が検出されない単位格納領域の存在を確認すればフレーム管理のずれを確認することができる。
また、この確認は、隣接する制御情報単位間の検出で行うことができるので、フレーム管理のずれを迅速且つ確実に検出し、制御情報列の正確な再生を行うことができる。フレーム管理のずれからの復帰を早め、制御情報列の再生のＴＡＴ向上に寄与するところ大である。
更に、この時の頻度は検出回数を計数することで確認することができ、再検出動作を起動すべき所定計数値を変更するだけで特定制御情報単位の再検出動作のタイミングを変更することができる。
【００４２】
また、請求項７に係る情報再生装置は、請求項４に記載の情報再生装置において、不一致検出部は、単位格納領域を構成するデータフレームに対応する識別子において、制御情報単位の有無を検出する検出器と、検出器により２以上の制御情報単位が検出される単位格納領域の数を計数する計数器と、計数器からの計数値と、特定制御情報単位の再検出動作を起動すべき所定計数値とを比較する比較器とを備えることを特徴とする。
【００４３】
請求項７の情報再生装置では、検出器は、単位格納領域を構成するデータフレームに対応する識別子において、制御情報単位の有無を検出し、計数器は、検出器により２以上の制御情報単位が検出される単位格納領域の数を計数する。比較器は、計数値が特定制御情報単位の再検出動作を起動すべき所定計数値と比較して一致した場合に再検出動作を指示する。
【００４４】
これにより、１つの単位格納領域には制御情報単位が格納されているので、検出された制御情報単位に対応する識別子により、１つの単位格納領域に２つ以上の制御情報単位が検出されればフレーム管理のずれを確認することができる。
また、この確認は、隣接する制御情報単位間の検出で行うことができるので、フレーム管理のずれを迅速且つ確実に検出し、制御情報列の正確な再生を行うことができる。フレーム管理のずれからの復帰を早め、制御情報列の再生のＴＡＴ向上に寄与するところ大である。
更に、この時の頻度は検出回数を計数することで確認することができ、再検出動作を起動すべき所定計数値を変更するだけで特定制御情報単位の再検出動作のタイミングを変更することができる。
【００４５】
また、請求項８に係る情報再生装置は、請求項４に記載の情報再生装置において、不一致検出部は、隣接して検出される制御情報単位における各識別子に対して、識別子に対応する単位格納領域を検出する検出器と、検出器により検出された各単位格納領域が同一である場合の回数を計数する計数器と、計数器からの計数値と、特定制御情報単位の再検出動作を起動すべき所定計数値とを比較する比較器とを備えることを特徴とする。
【００４６】
請求項８の情報再生装置では、検出器は、隣接して検出される制御情報単位における各識別子に対して、識別子に対応する単位格納領域を検出し、計数器は、検出器により検出された各単位格納領域が同一である場合の回数を計数する。比較器は、計数値が特定制御情報単位の再検出動作を起動すべき所定計数値と比較して一致した場合に再検出動作を指示する。
【００４７】
これにより、１つの単位格納領域には制御情報単位が格納されているので、検出された制御情報単位に対応する識別子により、対応する単位格納領域が同一であればフレーム管理のずれを確認することができる。
また、この確認は、隣接する制御情報単位間の検出で行うことができるので、フレーム管理のずれを迅速且つ確実に検出し、制御情報列の正確な再生を行うことができる。フレーム管理のずれからの復帰を早め、制御情報列の再生のＴＡＴ向上に寄与するところ大である。
更に、この時の頻度は検出回数を計数することで確認することができ、再検出動作を起動すべき所定計数値を変更するだけで特定制御情報単位の再検出動作のタイミングを変更することができる。
【００４８】
また、請求項９に係る情報再生装置は、請求項４に記載の情報再生装置において、不一致検出部では、第１の単位格納領域を構成するデータフレームに対応する識別子において、制御情報単位を検出せず、且つ、隣接ずる第２の単位格納領域を構成するデータフレームに対応する識別子のうち２以上の識別子において、制御情報単位を検出することを特徴とする。
【００４９】
請求項９の情報再生装置では、隣接する単位格納領域のうち、第１の単位格納領域に対応する識別子においては制御情報単位を検出せず、第２の単位格納領域に対応する識別子のうち２以上の識別子においては制御情報単位を検出する。
【００５０】
これにより、フレーム管理がずれていれば、隣接する制御情報単位に対応する識別子により、制御情報単位が２つ以上存在する単位格納領域と、制御情報単位が存在しない単位格納領域とが隣接するので、フレーム管理のずれを簡易且つ確実に検出することができる。
【００５１】
また、請求項１０に係る情報記録媒体再生システムでは、請求項１乃至９のうち少なくとも何れか１つに記載の情報再生装置を備えていることが望ましい。
【００５２】
【発明の実施の形態】
以下、本発明の情報再生装置、及び情報記録媒体再生システムについて具体化した第１乃至第５実施形態を図１乃至図１４に基づき図面を参照しつつ詳細に説明する。図１は、第１実施形態のＬＰＰ再生部の回路ブロック図である。図２は、第１実施形態の同期マーク誤検出カウンタ部の回路ブロック図である。図３は、第２実施形態のＬＰＰ再生部の回路ブロック図である。図４は、第２実施形態の同期マーク誤検出カウンタ部の回路ブロック図である。図５は、第３実施形態のＬＰＰ再生部の回路ブロック図である。図６は、第３実施形態の第１具体例のデータ抜け検出部の回路ブロック図である。図７は、第３実施形態の第２具体例のデータ抜け検出部の回路ブロック図である。図８は、第３実施形態の第３具体例のデータ抜け検出部の回路ブロック図である。図９は、第４実施形態のＬＰＰ再生部の回路ブロック図である。図１０は、第４実施形態の第１具体例のデータ二重検出部の回路ブロック図である。図１１は、第４実施形態の第２具体例のデータ二重検出部の回路ブロック図である。図１２は、第５実施形態のＬＰＰ再生部の回路ブロック図である。図１３は、第５実施形態のデータ抜け／二重検出部の回路ブロック図である。図１４は、本実施形態のＬＰＰ再生部を備えた情報記録媒体再生システムの構成図である。尚、以下に示す第１乃至第５実施形態における図面、また従来技術における図面において、同一の構成要素については同一の記号あるいは番号を付している。
【００５３】
図１に示す第１実施形態のＬＰＰ再生部１は、図１９に示す従来技術のＬＰＰ再生部１０００に加えて、同期マーク誤検出カウンタ部１１を備えている。同期マーク誤検出カウンタ部１１へは、ＬＰＰパターン比較部１０２において検出された同期マークＬＳＹ、及びフレームカウンタ１０６の最下位ビットであるＥｖｅｎ／Ｏｄｄ識別信号Ｆ０が入力されている。出力信号としては同期マーク誤検出の結果として再検出指示信号が出力されている。再検出指示信号はリセット信号ＲＳＴと共に、ＳＲＦＦ１０８のリセット入力Ｒへの入力信号となるため、リセット信号ＲＳＴと共にオアゲートＯＲ１により論理和がとられた上でＳＲＦＦ１０８のリセット入力Ｒに入力されている。その他の構成要素については、従来技術におけるＬＰＰ再生部１０００と同様の構成であるのでここでの説明は省略する。
【００５４】
第１実施形態のＬＰＰ再生部１における動作のうち、フレームカウンタ１０６、フレーム長カウンタ１０７の初期状態、この状態でのＬＰＰ再生部１のフリーラン状態、同期マーク検出部１０３による同期マークの検出、フレームカウンタ１０６、フレーム長カウンタ１０７の動作開始、１データセクタを構成する２６データフレームのカウントの繰り返し、データ検出部１０５からアドレス／データ格納レジスタ１０９へのアドレス／データＡｄｄ／Ｄａｔａの出力、アドレスの連続性及びデータのエラー検出・訂正後のＬＰＰ情報ロック状態の確保等の一連の基本動作は、従来技術におけるＬＰＰ再生部１０００と同様である。
【００５５】
第１実施形態のＬＰＰ再生部１では、同期マーク誤検出カウンタ部１１を備えており、同期マークＬＳＹの誤検出に対して再検出指示信号を出力することにより、ＬＰＰ情報の再生品質の向上を図っている。
【００５６】
図２に示す同期マーク誤検出カウンタ部１１の構成図により誤検出動作について説明する。同期マーク誤検出カウンタ部１１では、Ｏｄｄ領域のデータフレーム位置でＥｖｅｎ領域のデータフレームを表す同期マーク「１１１」を検出するＥｖｅｎ同期マーク誤検出器１２と、Ｅｖｅｎ領域のデータフレーム位置でＯｄｄ領域のデータフレームを表す同期マーク「１１０」を検出するＯｄｄ同期マーク誤検出器１３とを備えている。Ｅｖｅｎ同期マーク誤検出器１２には、フレームカウンタ１０６からのＥｖｅｎ／Ｏｄｄ識別信号Ｆ０とＬＰＰパターン比較部１０２にて検出された同期マークＬＳＹとが入力され、Ｆ０＝１と同期マークＬＳＹ＝「１１１」が入力されたことに基づきカウントアップ信号ＵＰ１を出力する。Ｏｄｄ同期マーク誤検出器１３には、フレームカウンタ１０６からのＥｖｅｎ／Ｏｄｄ識別信号Ｆ０とＬＰＰパターン比較部１０２にて検出された同期マークＬＳＹとが入力され、Ｆ０＝０と同期マークＬＳＹ＝「１１０」が入力されたことに基づきカウントアップ信号ＵＰ２を出力する。
【００５７】
カウントアップ信号ＵＰ１、ＵＰ２は共に誤検出カウンタ１４に入力されている。誤検出カウンタ１４は、カウントアップ信号ＵＰ１、ＵＰ２の信号出力回数をカウントしたカウント信号Ａを出力する。またカウント値のクリア信号としてＬＰＰ情報の再生によりロック状態に移行したことを示す信号が入力されている。
【００５８】
誤検出カウンタ１４から出力されたカウント信号Ａは、比較器１６に入力され、再検出レベル部１５に設定されているカウント値Ｂとの比較によりＬＰＰ再生時の同期マークの再検出指示信号を出力する。
【００５９】
同期マーク誤検出カウンタ部１１は、同期マーク検出部１０３により同期マークＬＳＹの検出がされフレームカウンタ１０６及びフレーム長カウンタ１０７のカウント動作が開始された後の、次データセクタサイクル以降で検出される同期マークＬＳＹが、フレームカウンタ１０６のカウント値との間で一致するか否かの検出を行う。即ち、最初の同期マークＬＳＹが正しく認識されていれば、次サイクル以降のＥｖｅｎ／Ｏｄｄ領域別の同期マークＬＳＹに対して、フレームカウンタ１０６の示すＥｖｅｎ／Ｏｄｄ識別信号Ｆ０が正しくなることを利用する。
【００６０】
具体的には、Ｅｖｅｎ同期マーク誤検出器１２は、フレームカウンタ１０６からのＥｖｅｎ／Ｏｄｄ識別信号Ｆ０がＯｄｄ領域のデータフレーム位置を示すタイミング（Ｆ０＝１）において、ＬＰＰパターン比較部１０２から入力される同期マークＬＳＹを確認する。この時の同期マークＬＳＹがＥｖｅｎ領域における同期マーク「１１１」であると検出された場合に同期マークの誤検出としてカウントアップ信号ＵＰ１を出力する。Ｏｄｄ同期マーク誤検出器１３についても同様に、フレームカウンタ１０６からのＥｖｅｎ／Ｏｄｄ識別信号Ｆ０がＥｖｅｎ領域のデータフレーム位置を示すタイミング（Ｆ０＝０）において、ＬＰＰパターン比較部１０２から入力される同期マークＬＳＹを確認する。この時の同期マークＬＳＹがＯｄｄ領域における同期マーク「１１０」であると検出された場合に同期マークの誤検出としてカウントアップ信号ＵＰ２を出力する。
【００６１】
ここで、Ｅｖｅｎ同期マーク誤検出器１２及びＯｄｄ同期マーク誤検出器１３の具体的回路構成は図示していないが、Ｆ０＝１あるいは０において同期マークＬＳＹを取り込み、所定の同期マークパターン「１１１」あるいは「１１０」と比較して一致した場合に信号を出力する簡単な論理回路で構成することができる。
【００６２】
誤検出カウンタ１４は、Ｅｖｅｎ同期マーク誤検出器１２及びＯｄｄ同期マーク誤検出器１３からの誤検出の確度を向上させるために備えられている。入力されるＬＰＰ情報のビットエラー等を考慮し、更に所定のビットエラーに対しては、エラー検出・訂正が施されることを考慮して、誤検出が所定の回数に達した場合を真性の同期ずれと認定する。従って、誤検出がカウントされた場合でも、ＬＰＰ情報の再生によりロック状態に移行した場合には、誤検出カウンタ１４の内容はクリアされることとなる。
【００６３】
誤検出カウンタ１４における誤検出カウント値Ａは、次段の比較器１６において比較され、再検出レベル部１５において設定されている再検出動作を行うべき誤検出のカウント値Ｂと一致した場合に、最初の同期マークＬＳＹ検出が正しくなかったとしてＬＰＰ情報の再生のための同期マークＬＳＹの再検出を行うべきと判断され、再検出指示信号を出力する。
【００６４】
ここで、再検出レベル部１５のカウント値Ｂは、予め作り込んでおくこともできるが、情報記録媒体におけるＬＰＰ情報のビットエラー、あるいはエラー検出・訂正の機能に合わせ、またその他の要因を考慮して適宜変更することができるように設定しておくこともできる。
【００６５】
以上に説明したように第１実施形態のＬＰＰ再生部１では、同期タイミング生成用の特定制御情報単位である同期マークＬＳＹが格納されているデータフレームを基準として、データフレーム毎に対応する識別子であるフレームカウンタ１０６のカウント値を設定する。従って１データセクタを構成する２６データフレームを１纏まりとするデータフレーム群内の所定のデータフレーム位置である第０あるいは第１データフレームに格納されるべき所定制御情報単位としての同期マークＬＳＹ（第０フレームに対しては「１１１」、第１フレームに対しては「１１０」）に対して、フレームカウンタ１０６のカウント値を検出すれば、この同期マークＬＳＹ（「１１１」、あるいは「１１０」）が本来のデータフレーム位置で検出されたものか否かを確認することができる。
【００６６】
また、同期マークＬＳＹにより同期タイミングを生成した後の次データセクタサイクルで検出される同期マークＬＳＹを所定制御情報単位とするので、データセクタサイクルを１サイクルとしてサイクル毎に同期マークＬＳＹのうち「１１１」が第０フレームで、「１１０」が第１フレームで検出されるか否かを確認することができる。
【００６７】
また、誤検出の回数をカウントすることができ、再検出動作を起動すべき所定カウント値を変更するだけで同期マークＬＳＹの再検出動作のタイミングを変更することができる。
【００６８】
予備のデータフレームであるＯｄｄ領域を含んだＥｖｅｎ／Ｏｄｄ領域をペアとする単位格納領域に格納されている制御情報単位である同期マークＬＳＹやデータビット信号Ｌａ／Ｌｄを検出して制御情報列であるＬＰＰ情報を再生する際、同期マークＬＳＹの誤検出に伴う同期タイミングと同期マークＬＳＹやデータビット信号Ｌａ／Ｌｄが格納されているデータフレームとのずれのある状態で誤って再生動作が行われた場合にも、フレーム管理のずれを迅速且つ確実に検出し同期マークＬＳＹの再検出動作を行うことにより、ＬＰＰ情報の正確な再生を行うことができる。フレーム管理のずれからの復帰を早め、ＬＰＰ情報の再生のＴＡＴ向上に寄与するところ大である。
【００６９】
図３に示す第２実施形態のＬＰＰ再生部２は、図１９に示す従来技術のＬＰＰ再生部１０００に加えて、Ｏｄｄ領域データ検出カウンタ部２１を備えている。Ｏｄｄ領域データ検出カウンタ部２１へは、ＬＰＰパターン比較部１０２において検出されたデータビット信号Ｌａ／Ｌｄ、及びフレームカウンタ１０６の最下位ビットであるＥｖｅｎ／Ｏｄｄ識別信号Ｆ０が入力されている。出力信号としては、Ｏｄｄ領域のデータフレーム位置を示すフレームカウンタ１０６のカウント値からデータビット信号Ｌａ／Ｌｄが検出された結果として再検出指示信号が出力される。再検出指示信号はリセット信号ＲＳＴと共に、ＳＲＦＦ１０８のリセット入力Ｒへの入力信号となるため、リセット信号ＲＳＴと共にオアゲートＯＲ１により論理和がとられた上でＳＲＦＦ１０８のリセット入力Ｒに入力されている。その他の構成要素については、従来技術におけるＬＰＰ再生部１０００と同様の構成であるのでここでの説明は省略する。
【００７０】
第１実施形態のＬＰＰ再生部１において従来技術のＬＰＰ再生部１０００と同様の動作であるとした一連の基本動作は、第２実施形態のＬＰＰ再生部２においても同様である。
【００７１】
第２実施形態のＬＰＰ再生部２では、Ｏｄｄ領域データ検出カウンタ部２１を備えており、Ｅｖｅｎ領域のデータフレームに配置されていることを基本とするデータビット信号Ｌａ／Ｌｄが、所定頻度の数、Ｏｄｄ領域のデータフレーム位置に対応するフレームカウンタ１０６のカウンタ値において検出される場合に対して再検出指示信号を出力することにより、ＬＰＰ情報の再生品質の向上を図っている。
【００７２】
図４に示すＯｄｄ領域データ検出カウンタ部２１の構成図により誤検出動作について説明する。Ｏｄｄ領域データ検出カウンタ部２１では、第１実施形態の同期マーク誤検出カウンタ部１１のＥｖｅｎ同期マーク誤検出器１２、Ｏｄｄ同期マーク誤検出器１３、及び誤検出カウンタ１４に代えて、Ｏｄｄ領域データ検出器２２、及びＯｄｄ領域データ検出カウンタ２３を備えている。Ｏｄｄ領域データ検出器２２は、フレームカウンタ１０６からのＥｖｅｎ／Ｏｄｄ識別信号Ｆ０とＬＰＰパターン比較部１０２にて検出されたデータビット信号Ｌａ／Ｌｄとが入力され、Ｆ０＝１とデータビット信号Ｌａ／Ｌｄとが入力されたことに基づき、カウントアップ信号ＵＰを出力する。ここでデータビット信号Ｌａ／Ｌｄとは、データビット”０“に対しては「１００」であり、データビット”１“に対しては「１０１」である。
【００７３】
カウントアップ信号ＵＰはＯｄｄ領域データ検出カウンタ２３に入力されている。Ｏｄｄ領域データ検出カウンタ２３は、カウントアップ信号ＵＰの信号出力回数をカウントしたカウント信号Ａを出力する。またカウント値のクリア信号として、データビット信号Ｌａ／ＬｄがＥｖｅｎ領域のデータフレーム位置で検出されたことを示す信号、あるいはＬＰＰ情報の再生によりロック状態に移行したことを示す信号が入力されている。
【００７４】
尚、再検出レベル部１５、及び比較器１６については、第１実施形態の同期マーク誤検出カウンタ部１１と同様の構成であるので説明は省力する。
【００７５】
Ｏｄｄ領域データ検出カウンタ部２１は、同期マーク検出部１０３により同期マークＬＳＹの検出がされフレームカウンタ１０６及びフレーム長カウンタ１０７のカウント動作が開始された状態で、データビット信号Ｌａ／Ｌｄが、フレームカウンタ１０６のカウント値のどこで検出されるかの判断を行う。即ち、同期マークＬＳＹが正しく認識されていれば、データビット信号Ｌａ／Ｌｄは基本的にＥｖｅｎ領域のデータフレームに配置されているべきであることを利用する。
【００７６】
具体的には、Ｏｄｄ領域データ検出器２２は、フレームカウンタ１０６からのＥｖｅｎ／Ｏｄｄ識別信号Ｆ０がＯｄｄ領域のデータフレーム位置を示すタイミング（Ｆ０＝１）において、データビット信号Ｌａ／Ｌｄを検出した場合にカウントアップ信号ＵＰを出力する。
【００７７】
ここで、Ｏｄｄ領域データ検出器２２の具体的回路構成は図示していないが、Ｆ０＝１においてデータビット信号Ｌａ／Ｌｄを取り込み、所定のデータビットパターン「１００」（データビット”０“の場合）、あるいは「１０１」（データビット”１“の場合）と比較して一致した場合に信号を出力する簡単な論理回路で構成することができる。
【００７８】
Ｏｄｄ領域データ検出カウンタ２３は、Ｏｄｄ領域データ検出器２２の検出確度を向上させるために備えられている。入力されるＬＰＰ情報のビットエラー等を考慮し、更に所定のビットエラーに対しては、エラー検出・訂正が施されることを考慮して、Ｏｄｄ領域データ検出器２２の検出が所定の回数に達した場合を真性の同期ずれと認定する。従って、Ｏｄｄ領域データ検出カウンタ２３においてカウントされた場合でも、データビット信号Ｌａ／ＬｄがＥｖｅｎ領域のデータフレーム位置で検出された場合、あるいはＬＰＰ情報の再生によりロック状態に移行した場合には、Ｏｄｄ領域データ検出カウンタ２３の内容はクリアされることとなる。
【００７９】
以上に説明したように第２実施形態のＬＰＰ再生部２では、同期タイミング生成用の特定制御情報単位である同期マークＬＳＹが格納されているデータフレームを基準としてデータフレーム毎に対応する識別子であるフレームカウンタ１０６のカウント値を設定するので、１データセクタを構成するデータフレーム群内の所定のデータフレーム位置であるＥｖｅｎ領域に原則的に格納されている所定制御情報単位としてのデータビット信号Ｌａ／Ｌｄに対して、カウント値を検出すれば、このデータビット信号Ｌａ／ＬｄがＥｖｅｎ領域で検出されたものか否かを確認することができる。
【００８０】
また、通常の格納場所であるＥｖｅｎ領域にデータビット信号Ｌａ／Ｌｄが格納されている場合を所定制御情報単位とするので、データビット信号Ｌａ／Ｌｄが、Ｅｖｅｎ領域のデータフレームに対応するカウント値で検出されるか、予備領域であるＯｄｄ領域のデータフレームに対応するカウント値で検出されるかで、同期マークＬＳＹの誤検出に伴うフレーム管理のずれを確認することができる。
【００８１】
即ち、原則としてＥｖｅｎ領域のデータフレームに対応するカウント値で検出されるべきデータビット信号Ｌａ／Ｌｄが、所定頻度以上、Ｏｄｄ領域のデータフレームに対応するカウント値で検出されればフレーム管理のずれを確認することができる。
【００８２】
この時の頻度は検出回数をカウントすることで確認することができ、再検出動作を起動すべき所定カウント値を変更するだけで同期マークＬＳＹの再検出動作のタイミングを変更することができる。
【００８３】
Ｏｄｄ領域を含んだＥｖｅｎ／Ｏｄｄ領域をペアとする単位格納領域に格納されているデータビット信号Ｌａ／Ｌｄを検出してＬＰＰ情報を再生する際、同期マークＬＳＹの誤検出に伴う同期タイミングとデータビット信号Ｌａ／Ｌｄが格納されているデータフレームとのずれのある状態で誤って再生動作が行われた場合にも、フレーム管理のずれを迅速且つ確実に検出し同期マークＬＳＹの再検出動作を行うことにより、ＬＰＰ情報の正確な再生を行うことができる。フレーム管理のずれからの復帰を早め、ＬＰＰ情報の再生のＴＡＴ向上に寄与するところ大である。
【００８４】
図５に示す第３実施形態のＬＰＰ再生部３は、図１９に示す従来技術のＬＰＰ再生部１０００に加えて、データ抜け検出部３１を備えている。データ抜け検出部３１へは、ＬＰＰパターン比較部１０２において検出された同期マークＬＳＹとデータビット信号Ｌａ／Ｌｄ、フレームカウンタ１０６の最下位ビットであるＥｖｅｎ／Ｏｄｄ識別信号Ｆ０と第１から第４ビットであるＦ１乃至Ｆ４が入力されている。出力信号としては、データ抜け検出の結果として再検出指示信号が出力されている。再検出指示信号はリセット信号ＲＳＴと共にオアゲートＯＲ１を介してＳＲＦＦ１０８のリセット入力Ｒに入力されている。その他の構成要素については、従来技術におけるＬＰＰ再生部１０００と同様の構成であるのでここでの説明は省略する。
【００８５】
第１実施形態のＬＰＰ再生部１において従来技術のＬＰＰ再生部１０００と同様の動作であるとした一連の基本動作は、第３実施形態のＬＰＰ再生部３においても同様である。
【００８６】
第３実施形態のＬＰＰ再生部３では、データ抜け検出部３１を備えており、同期マークＬＳＹあるいはデータビット信号Ｌａ／Ｌｄが格納位置であるデータフレーム位置において検出されずデータ抜けと判断された場合に再検出指示信号を出力することにより、ＬＰＰ情報の再生品質の向上を図っている。
【００８７】
図６に示す第１具体例のデータ抜け検出部３１Ａでは、Ｅｖｅｎ領域のデータフレーム位置を表すＥｖｅｎ／Ｏｄｄ識別信号Ｆ０（Ｆ０＝０）で、同期マークＬＳＹ（「１１１」、「１１０」）、あるいはデータビット信号Ｌａ／Ｌｄ（データビット”０“に対して「１００」、データビット”１“に対して「１０１」）を検出するＥｖｅｎ領域検出記憶部３２Ａと、Ｏｄｄ領域のデータフレーム位置を表すＥｖｅｎ／Ｏｄｄ識別信号Ｆ０（Ｆ０＝１）で、同期マークＬＳＹ（「１１１」、「１１０」）、あるいはデータビット信号Ｌａ／Ｌｄ（「１００」、「１０１」）を検出するＯｄｄ領域検出記憶部３３Ａとを備えている。Ｅｖｅｎ領域検出記憶部３２ＡからＦ０＝０のタイミングで同期マークＬＳＹ（「１１１」、「１１０」）あるいはデータビット信号Ｌａ／Ｌｄ（「１００」、「１０１」）が検出されず、且つＯｄｄ領域検出記憶部３３ＡからＦ０＝１のタイミングで同期マークＬＳＹ（「１１１」、「１１０」）あるいはデータビット信号Ｌａ／Ｌｄ（「１００」、「１０１」）が検出されない場合、論理ゲート３４Ａを介してカウントアップ信号ＵＰを出力する。
【００８８】
カウントアップ信号ＵＰはデータ抜け検出カウンタ３５に入力されている。データ抜け検出カウンタ３５は、ＬＰＰ情報の１単位が格納されているＥｖｅｎ／Ｏｄｄ領域のデータフレームペアが終了するタイミングであるＥｖｅｎ／Ｏｄｄ識別信号Ｆ０の１から０への遷移タイミングをクロック信号ＣＫとして、カウントアップ信号ＵＰの信号出力回数をカウントし結果をカウント信号Ａとして出力する。またカウント値のクリア信号としてＬＰＰ情報の再生によりロック状態に移行したことを示す信号が入力されている。
【００８９】
データ抜け検出部３１Ａは、同期マーク検出部１０３により同期マークＬＳＹの検出がされフレームカウンタ１０６及びフレーム長カウンタ１０７のカウント動作が開始された後に、Ｅｖｅｎ／Ｏｄｄ領域のデータフレームのペアで同期マークＬＳＹ（「１１１」、「１１０」）あるいはデータビット信号Ｌａ／Ｌｄ（「１００」、「１０１」）を検出するか否かの判断を行う。即ち、正しく同期が取れていれば、各データフレームのペアのうちＥｖｅｎ／Ｏｄｄ領域の何れかのデータフレームでデータビット信号Ｌａ／Ｌｄ等が認識されることを利用する。
【００９０】
ここで、Ｅｖｅｎ領域検出記憶部３２ＡとＯｄｄ領域検出記憶部３３Ａとの具体的回路構成は図示していないが、Ｆ０＝０あるいは１のタイミングにおいて同期マークＬＳＹ（「１１１」、「１１０」）やデータビット信号Ｌａ／Ｌｄ（「１００」、「１０１」）が検出されるか否かを検出記憶して信号を出力する簡単な論理回路で構成することができる。
【００９１】
データ抜け検出カウンタ３５は、Ｅｖｅｎ領域検出記憶部３２ＡとＯｄｄ領域検出記憶部３３Ａとからの検出の確度を向上させるために備えられている。入力されるＬＰＰ情報のビットエラー等を考慮し、更に所定のビットエラーに対しては、エラー検出・訂正が施されることを考慮して、データビット信号Ｌａ／Ｌｄ等が検出されないデータフレームのペアが所定数に達した場合を真性の同期ずれと認定する。従って、誤ってカウントされた場合でも、ＬＰＰ情報の再生によりロック状態に移行した場合には、データ抜け検出カウンタ３５の内容はクリアされることとなる。
【００９２】
図７に示す第２具体例のデータ抜け検出部３１Ｂでは、フレームカウンタ１０６の最下位ビットＦ０を除く下位４ビットＦ１乃至Ｆ４を入力するフレーム記憶レジスタ１（３２Ｂ）と、フレーム記憶レジスタ１（３２Ｂ）の内容を入力するフレーム記憶レジスタ２（３３Ｂ）とを備えている。そしてフレーム記憶レジスタ１（３２Ｂ）及びフレーム記憶レジスタ２（３３Ｂ）のイネーブル端子ＥＮへは、同期マークＬＳＹ（「１１１」、「１１０」）あるいはデータビット信号Ｌａ／Ｌｄ（「１００」、「１０１」）が接続されている。フレーム記憶レジスタ１（３２Ｂ）の出力信号Ｒ１とフレーム記憶レジスタ２（３３Ｂ）の出力信号Ｒ２とは、減算器３４Ｂに入力されている。減算器３４Ｂからは演算結果Ｓが出力され、データ抜け検出カウンタ３５に入力されている。尚、データ抜け検出カウンタ３５は第１具体例と同様の構成であり以下では説明を省略する。
【００９３】
データ抜け検出部３１Ｂは、同期マーク検出部１０３により同期マークＬＳＹの検出がされフレームカウンタ１０６及びフレーム長カウンタ１０７のカウント動作が開始された後に、Ｅｖｅｎ／Ｏｄｄ領域のデータフレームのペアで同期マークＬＳＹ（「１１１」、「１１０」）あるいはデータビット信号Ｌａ／Ｌｄ（「１００」、「１０１」）を検出するか否かの判断を行う。即ち、正しく同期が取れていれば、各データフレームのペアのうちＥｖｅｎ／Ｏｄｄ領域の何れかのデータフレームでデータビット信号Ｌａ／Ｌｄ等が認識されることを利用する。
【００９４】
隣接する２つのデータビット信号Ｌａ／Ｌｄ等のうち、第１のデータビット信号Ｌａ／Ｌｄ等が入力されると、フレーム記憶レジスタ１（３２Ｂ）及びフレーム記憶レジスタ２（３３Ｂ）のイネーブル端子ＥＮが活性化され、フレーム記憶レジスタ１（３２Ｂ）とフレーム記憶レジスタ２（３３Ｂ）とは共に、データをレジスタ内にセットする。即ち、フレーム記憶レジスタ１には、フレームカウンタ１０６の下位４ビットＦ１乃至Ｆ４のカウント値がセットされ、フレーム記憶レジスタ２（３３Ｂ）には、フレーム記憶レジスタ１（３２Ｂ）のレジスタ値がセットされる。ここで動作開始時にはフレーム記憶レジスタ１（３２Ｂ）のレジスタの内容は初期化されているので、フレーム記憶レジスタ２（３３Ｂ）にセットされた内容も初期化状態を維持することとなる。更に、第２のデータビット信号Ｌａ／Ｌｄ等が入力されると、フレーム記憶レジスタ１（３２Ｂ）のレジスタの内容はフレーム記憶レジスタ２（３３Ｂ）に移り、フレーム記憶レジスタ１（３２Ｂ）のレジスタには、カウントアップされたカウント値Ｆ１乃至Ｆ４がセットされる。従って、フレーム記憶レジスタ２（３３Ｂ）のレジスタには、隣接するデータビット信号Ｌａ／Ｌｄ等のうち第１の値が入力されたときのフレームカウンタ１０６のカウント値Ｒ２がセットされ、フレーム記憶レジスタ１（３２Ｂ）のレジスタには、第２のデータビット信号Ｌａ／Ｌｄの値が入力されたときのフレームカウンタ１０６のカウント値Ｒ１がセットされる。
【００９５】
隣接するデータビット信号Ｌａ／Ｌｄ等に対応するカウント値Ｒ１、Ｒ２を減算器３４Ｂで減算してやれば（Ｒ１−Ｒ２）、隣接するデータビット信号Ｌａ／Ｌｄ等が格納されているデータフレーム間の距離が算出される。ここでフレームカウンタ１０６の最下位ビットＦ０を減算処理から除くのは、Ｅｖｅｎ／Ｏｄｄ領域の２つのデータフレームをペアとして１単位のデータビット信号Ｌａ／Ｌｄ等を格納しているためである。数学的にはフレームカウンタ１０６のカウント値を２で除することに相当する。１データセクタを構成する１３ビットのＬＰＰ情報において、隣接して検出されたデータビット信号Ｌａ／Ｌｄ等におけるビット位置の差を算出していることになる。
【００９６】
このビット位置の差が、２以上となる場合（但し、隣接するデータビット信号Ｌａ／Ｌｄ等について第１のビット位置が第１３ビットである場合には、−１１以下となる。）には、隣接するデータビット信号Ｌａ／Ｌｄ等の間に１つ以上のデータビット信号Ｌａ／Ｌｄ等の格納領域に対応するカウント値が存在することになり、この間にデータビット信号Ｌａ／Ｌｄ等が存在せずデータ抜けが検出される。
【００９７】
図８に示す第３具体例のデータ抜け検出部３１Ｃでは、フレームカウンタ１０６の最下位ビットＦ０を除く下位４ビットＦ１乃至Ｆ４を入力するフレーム記憶レジスタ３２Ｃと、フレーム記憶レジスタ３２Ｃの初期値を設定する初期値設定回路３３Ｃとを備えている。そしてフレーム記憶レジスタ３２Ｃのイネーブル端子ＥＮへは、同期マークＬＳＹ（「１１１」、「１１０」）あるいはデータビット信号Ｌａ／Ｌｄ（「１００」、「１０１」）が接続されている。また、フレームカウンタ１０６の最下位ビットＦ０が１から０に遷移するタイミングで発生する信号がクリア信号として入力されている。フレーム記憶レジスタ３２Ｃの出力信号Ｒと初期値設定回路３３Ｃの出力信号Ｉとは、比較器３４Ｃに入力されている。比較器３４Ｃからは演算結果Ｓが出力され、データ抜け検出カウンタ３５に入力されている。尚、データ抜け検出カウンタ３５は第１及び第２具体例と同様の構成であり以下では説明を省略する。
【００９８】
データ抜け検出部３１Ｃは、同期マーク検出部１０３により同期マークＬＳＹの検出がされフレームカウンタ１０６及びフレーム長カウンタ１０７のカウント動作が開始された後に、Ｅｖｅｎ／Ｏｄｄ領域のデータフレームのペアで同期マークＬＳＹ（「１１１」、「１１０」）あるいはデータビット信号Ｌａ／Ｌｄ（「１００」、「１０１」）を検出するか否かの判断を行う。即ち、正しく同期が取れていれば、各データフレームのペアのうちＥｖｅｎ／Ｏｄｄ領域の何れかのデータフレームでデータビット信号Ｌａ／Ｌｄ等が認識されることを利用する。
【００９９】
データビット信号Ｌａ／Ｌｄ等が入力されると、フレーム記憶レジスタ３２Ｃのイネーブル端子ＥＮが活性化され、フレーム記憶レジスタ３２Ｃは、データをレジスタ内にセットする。即ち、フレームカウンタ１０６の下位４ビットＦ１乃至Ｆ４をカウント値Ｒとしてセットされる。フレーム記憶レジスタ３２Ｃは、データビット信号Ｌａ／Ｌｄ等のＬＰＰ情報の１単位が格納されているＥｖｅｎ／Ｏｄｄ領域のデータフレームペアが終了するタイミングであるＥｖｅｎ／Ｏｄｄ識別信号Ｆ０の１から０への遷移タイミングでリセットされる。従って、この間にデータビット信号Ｌａ／Ｌｄ等が入力されなければ、フレーム記憶レジスタ３２Ｃのレジスタ値Ｒは、初期値を維持することとなる。
【０１００】
このカウント値Ｒと初期値設定回路３３Ｃからの初期値Ｉとを比較器３４Ｃで比較してやれば、データビット信号Ｌａ／Ｌｄ等のＬＰＰ情報の１単位が、Ｅｖｅｎ／Ｏｄｄ領域のデータフレームペアに格納されているか否かの確認をすることができる。ここで、フレーム記憶レジスタ３２Ｃへの入力信号から最下位ビットＦ０を除いているのは、Ｅｖｅｎ／Ｏｄｄ領域の２つのデータフレームをペアとして１単位のデータビット信号Ｌａ／Ｌｄ等を格納しているためである。数学的にはフレームカウンタ１０６のカウント値を２で除することに相当する。比較器３４Ｃにおいて、Ｅｖｅｎ／Ｏｄｄ領域のデータフレームペアにデータビット信号Ｌａ／Ｌｄ等が存在するか否かを確認していることになる。
【０１０１】
この比較により両者が一致する場合（Ｒ＝Ｉ）に比較器３４Ｃは出力信号Ｓを出力する。この時、１つの単位格納領域を構成するＥｖｅｎ／Ｏｄｄ領域のデータフレームの双方に対応するカウント値でデータビット信号Ｌａ／Ｌｄ等が検出されないことを示し、１つの単位格納領域であるデータフレームペアで、データ抜けが発生しているとして検出されることとなり、同期がずれていると判断される。
【０１０２】
以上に説明したように第３実施形態のＬＰＰ再生部３では、Ｅｖｅｎ／Ｏｄｄ領域をペアとする２つのデータフレームを１単位とする単位格納領域には、１つの制御情報単位である同期マーク及びデータビット信号Ｌａ／Ｌｄが格納されているので、検出されたデータビット信号Ｌａ／Ｌｄ等に対応する識別子であるフレームカウンタ１０６のカウンタ値により、データビット信号Ｌａ／Ｌｄ等と単位格納領域との関係を確認すればフレーム管理のずれを確認することができる。具体的には、データビット信号Ｌａ／Ｌｄ等が検出されない単位格納領域の存在を確認すればフレーム管理のずれを確認することができる。
【０１０３】
また、この時の頻度は検出回数をカウントすることで確認することができ、再検出動作を起動すべき所定カウント値を変更するだけで同期マークＬＳＹの再検出動作のタイミングを変更することができる。
【０１０４】
この確認は、隣接するデータビット信号Ｌａ／Ｌｄ等間の検出で行うことができるので、フレーム管理のずれを迅速且つ確実に検出し、制御情報列であるＬＰＰ情報の正確な再生を行うことができる。フレーム管理のずれからの復帰を早め、ＬＰＰ情報の再生のＴＡＴ向上に寄与するところ大である。
【０１０５】
図９に示す第４実施形態のＬＰＰ再生部４は、図１９に示す従来技術のＬＰＰ再生部１０００に加えて、データ二重検出部４１を備えている。データ二重検出部４１へは、ＬＰＰパターン比較部１０２において検出された同期マークＬＳＹとデータビット信号Ｌａ／Ｌｄ、フレームカウンタ１０６の最下位ビットであるＥｖｅｎ／Ｏｄｄ識別信号Ｆ０と第１から第４ビットであるＦ１乃至Ｆ４が入力されている。出力信号としては、データ二重検出の結果として再検出指示信号が出力されている。再検出指示信号はリセット信号ＲＳＴと共にオアゲートＯＲ１を介してＳＲＦＦ１０８のリセット入力Ｒに入力されている。その他の構成要素については、従来技術におけるＬＰＰ再生部１０００と同様の構成であるのでここでの説明は省略する。
【０１０６】
第１実施形態のＬＰＰ再生部１において従来技術のＬＰＰ再生部１０００と同様の動作であるとした一連の基本動作は、第４実施形態のＬＰＰ再生部４においても同様である。
【０１０７】
第４実施形態のＬＰＰ再生部４では、データ二重検出部４１を備えており、同期マークＬＳＹあるいはデータビット信号Ｌａ／Ｌｄが、ＬＰＰ情報の１単位が格納されている単位格納領域を構成するＥｖｅｎ／Ｏｄｄ領域のデータフレームペアの各々のデータフレームで検出された場合にデータ二重と判断して再検出指示信号を出力することにより、ＬＰＰ情報の再生品質の向上を図っている。
【０１０８】
図１０に示す第１具体例のデータ二重検出部４１Ａでは、第３実施形態の第１具体例と同様のＥｖｅｎ領域検出記憶部３２ＡとＯｄｄ領域検出記憶部３３Ａとを備えている。Ｅｖｅｎ領域検出記憶部３２ＡからＦ０＝０のタイミングで同期マークＬＳＹ（「１１１」、「１１０」）あるいはデータビット信号Ｌａ／Ｌｄ（「１００」、「１０１」）が検出され、且つＯｄｄ領域検出記憶部３３ＡからＦ０＝１のタイミングで同期マークＬＳＹ（「１１１」、「１１０」）あるいはデータビット信号Ｌａ／Ｌｄ（「１００」、「１０１」）が検出された場合、論理ゲート４２Ａを介してカウントアップ信号ＵＰを出力する。
【０１０９】
カウントアップ信号ＵＰはデータ二重検出カウンタ４５に入力されている。データ二重検出カウンタ４５は、単位格納領域を構成するＥｖｅｎ／Ｏｄｄ領域のデータフレームペアが終了するタイミングであるＥｖｅｎ／Ｏｄｄ識別信号Ｆ０の１から０への遷移タイミングをクロック信号ＣＫとして、カウントアップ信号ＵＰの信号出力回数をカウントし結果をカウント信号Ａとして出力する。またカウント値のクリア信号としてＬＰＰ情報の再生によりロック状態に移行したことを示す信号が入力されている。
【０１１０】
データ二重検出部４１Ａは、同期マーク検出部１０３により同期マークＬＳＹの検出がされフレームカウンタ１０６及びフレーム長カウンタ１０７のカウント動作が開始された後に、Ｅｖｅｎ／Ｏｄｄ領域のデータフレームのペアで同期マークＬＳＹ（「１１１」、「１１０」）あるいはデータビット信号Ｌａ／Ｌｄ（「１００」、「１０１」）を正しく検出するか否かの判断を行う。即ち、正しく同期が取れていれば、各データフレームのペアのうちＥｖｅｎ／Ｏｄｄ領域の何れかのデータフレームでデータビット信号Ｌａ／Ｌｄ等が認識されることを利用する。
【０１１１】
データ二重検出カウンタ４５は、Ｅｖｅｎ領域検出記憶部３２ＡとＯｄｄ領域検出記憶部３３Ａとからの検出の確度を向上させるために備えられている。入力されるＬＰＰ情報のビットエラー等を考慮し、更に所定のビットエラーに対しては、エラー検出・訂正が施されることを考慮して、データビット信号Ｌａ／Ｌｄ等が検出されないデータフレームのペアが所定数に達した場合を真性の同期ずれと認定する。従って、誤ってカウントされた場合でも、ＬＰＰ情報の再生によりロック状態に移行した場合には、データ抜け検出カウンタ３５の内容はクリアされることとなる。
【０１１２】
図１１に示す第２具体例のデータ二重検出部４１Ｂでは、第３実施形態の第１具体例と同様のフレーム記憶レジスタ１（３２Ｂ）とフレーム記憶レジスタ２（３３Ｂ）とを備えている。フレーム記憶レジスタ１（３２Ｂ）の出力信号Ｒ１及びフレーム記憶レジスタ２（３３Ｂ）の出力信号Ｒ２とは、比較器４２Ｂに入力されている。比較器４２Ｂからは比較結果Ｓが出力され、データ二重検出カウンタ４５に入力されている。尚、データ二重検出カウンタ４５は第１具体例と同様の構成であり以下では説明を省略する。
【０１１３】
データ二重検出部４１Ｂは、同期マーク検出部１０３により同期マークＬＳＹの検出がされフレームカウンタ１０６及びフレーム長カウンタ１０７のカウント動作が開始された後に、Ｅｖｅｎ／Ｏｄｄ領域のデータフレームのペアで同期マークＬＳＹ（「１１１」、「１１０」）あるいはデータビット信号Ｌａ／Ｌｄ（「１００」、「１０１」）を正しく検出するか否かの判断を行う。即ち、正しく同期が取れていれば、各データフレームのペアのうちＥｖｅｎ／Ｏｄｄ領域の何れかのデータフレームでデータビット信号Ｌａ／Ｌｄ等が認識されることを利用する。
【０１１４】
隣接する２つのデータビット信号Ｌａ／Ｌｄ等をイネーブル端子ＥＮへの活性化信号として、データビット信号Ｌａ／Ｌｄ等が入力された際のフレームカウンタ１０６の下位４ビットＦ１乃至Ｆ４のカウント値が、フレーム記憶レジスタ１（３２Ｂ）とフレーム記憶レジスタ２（３３Ｂ）とに順次セットされる動作については第３実施形態の第２具体例と同様である。尚、フレーム記憶レジスタ１（３２Ｂ）とフレーム記憶レジスタ２（３３Ｂ）とには、クリア信号として、Ｅｖｅｎ／Ｏｄｄ領域のデータフレームペアが終了するタイミングであるＥｖｅｎ／Ｏｄｄ識別信号Ｆ０の１から０への遷移タイミングで活性化される信号が入力されている。このクリア信号を受けて、フレーム記憶レジスタ１（３２Ｂ）、及びフレーム記憶レジスタ２（３３Ｂ）は、各々異なる値にプリセットされる。異なる値にプリセットするのは、データ抜けが発生して、フレーム記憶レジスタ１（３２Ｂ）、及びフレーム記憶レジスタ２（３３Ｂ）が共に動作しなくても、比較器４２Ｂにおいて一致検出をすることがないようにしたためである。
【０１１５】
隣接するデータビット信号Ｌａ／Ｌｄ等に対応するカウント値Ｒ１、Ｒ２を比較器４２Ｂで比較してやれば、隣接するデータビット信号Ｌａ／Ｌｄ等が格納されているデータフレーム間の距離が算出される。ここでフレームカウンタ１０６の最下位ビットＦ０を減算処理から除くのは、Ｅｖｅｎ／Ｏｄｄ領域の２つのデータフレームをペアとして１単位のデータビット信号Ｌａ／Ｌｄ等を格納しているためである。数学的にはフレームカウンタ１０６のカウント値を２で除することに相当する。
【０１１６】
この比較により両者が一致する場合（Ｒ１＝Ｒ２）、１つの単位格納領域を構成するＥｖｅｎ／Ｏｄｄ領域のデータフレームの双方に対応するカウント値でデータビット信号Ｌａ／Ｌｄ等が検出されることを示し、隣接するデータビット信号Ｌａ／Ｌｄ等が同一の単位格納領域に格納されて二重に存在しているとして検出されることとなり、同期がずれていると判断される。
【０１１７】
以上に説明したように第４実施形態のＬＰＰ再生部４では、１つの単位格納領域であるＥｖｅｎ／Ｏｄｄ領域のデータフレームペアには、制御情報単位である同期マークＬＳＹあるいはデータビット信号Ｌａ／Ｌｄが格納されているので、検出されたデータビット信号Ｌａ／Ｌｄ等に対応する識別子としてのフレームカウンタ１０６のカウント値により、データビット信号Ｌａ／Ｌｄ等と単位格納領域との関係を確認すればフレーム管理のずれを確認することができる。
【０１１８】
そして、検出されたデータビット信号Ｌａ／Ｌｄ等に対応するカウント値により、１つの単位格納領域に２つ以上のデータビット信号Ｌａ／Ｌｄ等が検出されればフレーム管理のずれを確認することができる。
【０１１９】
更に、この時の頻度は検出回数をカウントすることで確認することができ、再検出動作を起動すべき所定カウント値を変更するだけで特定制御情報単位である同期マークＬＳＹの再検出動作のタイミングを変更することができる。
【０１２０】
この確認は、隣接するデータビット信号Ｌａ／Ｌｄ等間の検出で行うことができるので、フレーム管理のずれを迅速且つ確実に検出し、制御情報列の正確な再生を行うことができる。フレーム管理のずれからの復帰を早め、制御情報列の再生のＴＡＴ向上に寄与するところ大である。
【０１２１】
図１２に示す第５実施形態のＬＰＰ再生部５は、図１９に示す従来技術のＬＰＰ再生部１０００に加えて、データ抜け／二重検出部５１を備えている。データ抜け／二重検出部５１へは、ＬＰＰパターン比較部１０２において検出された同期マークＬＳＹとデータビット信号Ｌａ／Ｌｄ、フレームカウンタ１０６の最下位ビットであるＥｖｅｎ／Ｏｄｄ識別信号Ｆ０が入力されている。出力信号としては、データ抜け／二重検出の結果として再検出指示信号が出力されている。再検出指示信号はリセット信号ＲＳＴと共にオアゲートＯＲ１を介してＳＲＦＦ１０８のリセット入力Ｒに入力されている。その他の構成要素については、従来技術におけるＬＰＰ再生部１０００と同様の構成であるのでここでの説明は省略する。
【０１２２】
第１実施形態のＬＰＰ再生部１において従来技術のＬＰＰ再生部１０００と同様の動作であるとした一連の基本動作は、第５実施形態のＬＰＰ再生部５においても同様である。
【０１２３】
第５実施形態のＬＰＰ再生部５では、データ抜け／二重検出部５１を備えており、フレーム管理のずれが発生したことにより、データ抜けあるいはデータ二重が検出されれば、これに引き続いてデータ二重あるいはデータ抜けの状態が検出されることに鑑み、データ抜け／二重が連続して検出された場合に再検出指示信号を出力することにより、ＬＰＰ情報の再生品質の向上を図っている。
【０１２４】
図１３に示すデータ抜け／二重検出部５１では、第３実施形態の第１具体例における構成と同様にＥｖｅｎ領域検出記憶部３２Ａ、Ｏｄｄ領域検出記憶部３３Ａ、及び論理ゲート３４Ａとを備え、更に第４実施形態の第１具体例における構成と同様にＥｖｅｎ領域検出記憶部３２Ａ、Ｏｄｄ領域検出記憶部３３Ａ、及び論理ゲート４２Ａとを備えている。論理ゲート３４Ａ、４２Ａの出力は、データ抜け及びデータ二重の検出結果として、それぞれデータ抜け記憶部５２及びデータ二重器億部５３に入力されている。この他にデータ抜け記憶部５２及びデータ二重器億部５３には、クロック信号ＣＫとしてＥｖｅｎ／Ｏｄｄ識別信号Ｆ０の１から０への遷移タイミング、クリア信号としてＬＰＰ情報の再生によりロック状態に移行したことを示す信号が入力されている。更にデータ抜け記憶部５２の出力信号と論理ゲート４２Ａとの論理積をとる論理ゲート５４、データ二重器億部５３の出力信号と論理ゲート３４Ａとの論理積をとる論理ゲート５５とを備え、これらの出力信号は、論理ゲート５６を介して論理和信号としてカウントアップ信号ＵＰを出力する。
【０１２５】
カウントアップ信号ＵＰはデータ抜け／二重連続検出カウンタ５７に入力されている。データ抜け／二重連続検出カウンタ５７は、ＬＰＰ情報の１単位が格納されているＥｖｅｎ／Ｏｄｄ領域のデータフレームペアが終了するタイミングであるＥｖｅｎ／Ｏｄｄ識別信号Ｆ０の１から０への遷移タイミングをクロック信号ＣＫとして、カウントアップ信号ＵＰの信号出力回数をカウントし結果をカウント信号Ａとして出力する。またカウント値のクリア信号としてＬＰＰ情報の再生によりロック状態に移行したことを示す信号が入力されている。
【０１２６】
データ抜け／二重検出部５１は、同期マーク検出部１０３により同期マークＬＳＹの検出がされフレームカウンタ１０６及びフレーム長カウンタ１０７のカウント動作が開始された後に、Ｅｖｅｎ／Ｏｄｄ領域のデータフレームのペアでの同期マークＬＳＹ（「１１１」、「１１０」）あるいはデータビット信号Ｌａ／Ｌｄ（「１００」、「１０１」）のデータ抜けとデータ二重が連続して検出されるか否かの判断を行う。即ち、正しく同期が取れていれば、各データフレームのペアのうちＥｖｅｎ／Ｏｄｄ領域の何れかのデータフレームで１ビットのデータビット信号Ｌａ／Ｌｄ等が認識されることを利用する。
【０１２７】
例えば隣接する３つの単位格納領域について、第１の単位格納領域ではＯｄｄ領域のデータフレームに、第２の単位格納領域ではＥｖｅｎ領域のデータフレームに、第３の単位格納領域ではＯｄｄ領域のデータフレームに、データビット信号Ｌａ／Ｌｄ等が格納されている場合を考える。この格納状態に対してフレーム管理がずれ、Ｅｖｅｎ領域とＯｄｄ領域とを逆に認識してしまう場合、即ち、第１の単位格納領域のＯｄｄ領域をＥｖｅｎ領域として認識してしまう場合には、連続するフレームカウンタ１０６のカウンタ値に対応してデータビット信号Ｌａ／Ｌｄ等を検出すると、第１の単位格納領域のＯｄｄ領域と、第２の単位格納領域のＥｖｅｎ領域とを１つの単位格納領域として認識しデータが二重に格納されているとして検出されることとなる。更に引き続く第２の単位格納領域のＯｄｄ領域と、第３の単位格納領域のＥｖｅｎ領域とを１つの単位格納領域として認識しデータが抜けていると検出される。データビット信号Ｌａ／Ｌｄ等の格納状態によっては、データ抜けとデータ二重の順に検出される場合も考えられる。
【０１２８】
上記の検出結果をデータ抜け記憶部５２とデータ二重記憶部５３とに記憶しておき、この記憶結果が得られた単位格納領域に隣接する単位格納領域において同様の検出が行われるか否かを確認する。具体的には、データ抜け記憶部５２の結果に対しては、論理ゲート４２Ａからのデータ二重検出結果との論理積を論理ゲート５４により演算する。逆に、データ二重記憶部５３の結果に対しては、論理ゲート３４Ａからのデータ抜け検出結果との論理積を論理ゲート５５により演算する。この両者の論理和結果をカウントアップ信号ＵＰとすることにより、フレーム管理のずれを検出する。
【０１２９】
データ抜け／二重連続検出カウンタ５７は、検出の確度を向上させるために備えられている。入力されるＬＰＰ情報のビットエラー等を考慮し、更に所定のビットエラーに対しては、エラー検出・訂正が施されることを考慮して、検出回数が所定数に達した場合を真性の同期ずれと認定する。従って、誤ってカウントされた場合でも、ＬＰＰ情報の再生によりロック状態に移行した場合には、データ抜け／二重連続検出カウンタ５７の内容はクリアされることとなる。
【０１３０】
以上に説明したように第５実施形態のＬＰＰ再生部５では、フレーム管理がずれていれば、隣接する制御情報単位である同期マークＬＳＹあるいはデータビット信号Ｌａ／Ｌｄに対応する識別子であるフレームカウンタ１０６のカウント値により、データビット信号Ｌａ／Ｌｄ等が２つ存在する単位格納領域と、データビット信号Ｌａ／Ｌｄ等が存在しない単位格納領域とが隣接するので、フレーム管理のずれを簡易且つ確実に検出することができる。
【０１３１】
図１４は、上記第１乃至第５実施形態のＬＰＰ再生部１乃至５をＬＰＰ再生部Ａ１として備えた情報記録媒体再生システムＡのシステム構成図である。情報記録媒体再生システムＡは、情報記録媒体Ａ２、ピックアップ用ヘッドＡ３、リードチャネル部Ａ４、情報の受信手段としてのコントローラ部Ａ５、マイクロプロセッサユニット（ＭＰＵ）Ａ６、メモリＡ７及びホストインターフェイスＡ８を備えている。
【０１３２】
その情報記録媒体Ａ２としては、例えば情報の追記ができるＤＶＤ−Ｒや、情報の書き換えが可能なＤＶＤ−ＲＷ等を好適に用いることができ、これら媒体には、音声用データまたは映像用データの他に、同期検出用の情報としてＬＰＰ情報が記録されている。そのピックアップ用ヘッドＡ３は、情報記録媒体Ａ２からデータを読み出して信号処理を行い、リードチャネル部Ａ４に出力することができる。リードチャネル部Ａ４は、データとＬＰＰ情報とをコントローラ部Ａ５に対して転送する。マイクロプロセッサユニットＡ６は、メモリＡ７を使用しながらコントローラ部Ａ５等を制御して、データをホストインターフェイスＡ８に対して転送する。ここで、データの再生に先立ち、データ検出の同期ととる必要からＬＰＰ情報の再生を行う必要がある。このＬＰＰ再生部Ａ１は、コントローラ部Ａ５の一部として構成されており、リードチャネル部Ａ４から出力されたＬＰＰ情報の再生制御を行っている。
【０１３３】
ＬＰＰ再生部Ａ１は、第１乃至第５実施形態に示す構成により実現することができるが、構成方法として、電子回路部品等の組合せによるハードウェアにて構成することができることの他、再生動作の手続を一連のデータ処理手続として、ソフトウェアにより処理することも可能である。ここでソフトウェアで処理する場合、処理プログラムや演算結果等をメモりＡ７に格納し、必要に応じて取り出し、コントローラ部Ａ５において構成されるＤＳＰ等の演算処理プロセッサやＭＰＵ（Ａ６）において、演算処理を実行することができる。
【０１３４】
尚、本発明は第１乃至第５実施形態に限定されるものではなく、本発明の趣旨を逸脱しない範囲内で種々の改良、変形が可能であることは言うまでもない。
例えば、本実施形態においては、単位格納領域をＥｖｅｎ／Ｏｄｄ領域のデータフレームのペアとして説明したが、これに限定されるものではなく、３つ以上のデータフレームを１単位として単位格納領域を構成する場合にも同様に適用することができる。
【０１３５】
また、第１乃至第５実施形態では、再検出レベル部１５により、誤検出のカウント値が所定回数に至ることで再検出指示信号を出力するように構成したが、この所定カウント値は１回でもよく誤検出に基づき直ちに再検出指示信号を出力するように構成することもできる。
【０１３６】
（付記１）  情報記録媒体上の所定数のデータフレーム群で構成される情報単位に付加される制御情報列であって、基本単位毎に分割された制御情報単位を、１つの前記データフレームを格納領域とし、他の１つ以上の前記データフレームを予備領域用の予備データフレームとする単位格納領域に格納してなる前記制御情報列を再生する際、前記制御情報列に含まれる特定制御情報単位の検出に基づく同期タイミングにより前記制御情報単位の検出を行う情報再生装置において、
前記制御情報単位には、前記データフレーム群内の所定の前記データフレーム位置に格納される所定制御情報単位を含み、
前記特定制御情報単位が格納されている前記データフレームを基準として前記データフレーム毎に対応する識別子を設定する設定部と、
前記所定制御情報単位が検出される前記識別子が、前記所定のデータフレーム位置に対応しないことを検出する不一致検出部とを備え、
前記不一致検出部からの出力に基づき、前記特定制御情報単位の再検出を行うことを特徴とする情報再生装置。
（付記２）  前記不一致検出部は、
前記所定制御情報単位が検出される前記識別子が、前記所定制御情報単位が格納される前記所定のデータフレーム位置と一致しないことを検出する検出器と、
前記検出器からの不一致検出回数を計数する計数器と、
前記計数器からの計数値と、前記特定制御情報単位の再検出動作を起動すべき所定計数値とを比較する比較器とを備えることを特徴とする付記１に記載の情報再生装置。
（付記３）  前記所定制御情報単位は、
前記同期タイミングを生成した後に検出される前記特定制御情報単位であることを特徴とする付記１又は２に記載の情報再生装置。
（付記４）  前記検出器により検出される前記識別子は、
前記予備データフレームに対応する識別子であることを特徴とする付記２に記載の情報再生装置。
（付記５）  情報記録媒体上の所定数のデータフレーム群で構成される情報単位に付加される制御情報列であって、基本単位毎に分割された制御情報単位を、１つの前記データフレームを格納領域とし、他の１つ以上の前記データフレームを予備領域用の予備データフレームとする単位格納領域に格納してなる前記制御情報列を再生する際、前記制御情報列に含まれる特定制御情報単位の検出に基づく同期タイミングにより前記制御情報単位の検出を行う情報再生装置において、
前記特定制御情報単位が格納されている前記データフレームを基準として前記データフレーム毎に対応する識別子を設定する設定部と、
前記制御情報単位が、前記識別子に対応する前記データフレームを含む前記単位格納領域毎に１対１に対応して検出されない場合に不一致検出を行う不一致検出部とを備え、
前記不一致検出部からの出力に基づき、前記特定制御情報単位の再検出を行うことを特徴とする情報再生装置。
（付記６）  前記不一致検出部では、
前記単位格納領域を構成する前記データフレームに対応する前記識別子に対して、前記制御情報単位を検出しない場合に不一致検出を行うことを特徴とする付記５に記載の情報再生装置。
（付記７）  前記不一致検出部は、
前記単位格納領域を構成する前記データフレームに対応する前記識別子において、前記制御情報単位の有無を検出する検出器と、
前記検出器により前記制御情報単位の検出が確認されない前記単位格納領域の数を計数する計数器と、
前記計数器からの計数値と、前記特定制御情報単位の再検出動作を起動すべき所定計数値とを比較する比較器とを備えることを特徴とする付記６に記載の情報再生装置。
（付記８）  前記不一致検出部は、
隣接して検出される前記制御情報単位における前記各識別子に対して、前記識別子に対応する前記単位格納領域を検出する検出器と、
前記検出器により検出された前記単位格納領域の間に少なくとも１以上の前記単位格納領域を有する場合の回数を計数する計数器と、
前記計数器からの計数値と、前記特定制御情報単位の再検出動作を起動すべき所定計数値とを比較する比較器とを備えることを特徴とする付記６に記載の情報再生装置。
（付記９）  前記不一致検出部では、
前記単位格納領域を構成する前記データフレームに対応する前記識別子のうち２以上の前記識別子において、前記制御情報単位を検出する場合に不一致検出を行うことを特徴とする付記５に記載の情報再生装置。
（付記１０）  前記不一致検出部は、
前記単位格納領域を構成する前記データフレームに対応する前記識別子において、前記制御情報単位の有無を検出する検出器と、
前記検出器により２以上の前記制御情報単位が検出される前記単位格納領域の数を計数する計数器と、
前記計数器からの計数値と、前記特定制御情報単位の再検出動作を起動すべき所定計数値とを比較する比較器とを備えることを特徴とする付記９に記載の情報再生装置。
（付記１１）  前記不一致検出部は、
隣接して検出される前記制御情報単位における前記各識別子に対して、前記識別子に対応する前記単位格納領域を検出する検出器と、
前記検出器により検出された前記各単位格納領域が同一である場合の回数を計数する計数器と、
前記計数器からの計数値と、前記特定制御情報単位の再検出動作を起動すべき所定計数値とを比較する比較器とを備えることを特徴とする付記９に記載の情報再生装置。
（付記１２）  前記不一致検出部は、
隣接して検出される前記制御情報単位における前記識別子間の距離を検出する検出器と、
前記距離が前記単位格納領域を構成する前記データフレーム間の距離を越えない回数を計数する計数器と、
前記計数器からの計数値と、前記特定制御情報単位の再検出動作を起動すべき所定計数値とを比較する比較器とを備えることを特徴とする付記６に記載の情報再生装置。
（付記１３）  前記不一致検出部では、
第１の前記単位格納領域を構成する前記データフレームに対応する前記識別子において、前記制御情報単位を検出せず、且つ、
隣接ずる第２の前記単位格納領域を構成する前記データフレームに対応する前記識別子のうち２以上の前記識別子において、前記制御情報単位を検出することを特徴とする付記５に記載の情報再生装置。
（付記１４）  前記単位格納領域は、
第１の前記データフレームからなる前記格納領域と、
隣接する第２の前記データフレームからなる前記予備領域とからなり、
前記特定制御情報単位は、
前記格納領域に格納される第１特定制御情報単位と、
前記予備領域に格納される第２特定制御情報単位とを備え、
前記検出器は、
前記格納領域に対応する前記識別子において前記第２特定制御情報単位を検出する第１検出器と、
前記予備領域に対応する前記識別子において前記第１特定制御情報単位を検出する第２検出器とを備えることを特徴とする付記３に記載の情報再生装置。
（付記１５）  前記単位格納領域は、
第１の前記データフレームからなる前記格納領域と、
隣接する第２の前記データフレームからなる前記予備領域とからなり、
前記検出器は、
前記予備領域に対応する前記識別子において前記所定制御情報単位を検出することを特徴とする付記４に記載の情報再生装置。
（付記１６）  前記単位格納領域は、
第１の前記データフレームからなる前記格納領域と、
隣接する第２の前記データフレームからなる前記予備領域とからなり、
前記検出器は、
前記格納領域に対応する前記識別子において前記制御情報単位の有無を検出する第１検出器と、
隣接する前記予備領域に対応する前記識別子において前記制御情報単位の有無を検出する第２検出器と、
１つの前記単位格納領域において、前記第１及び第２検出器の何れからも前記制御情報単位が検出されない場合を選択する論理演算部とを備えることを特徴とする付記７に記載の情報再生装置。
（付記１７）  前記単位格納領域は、
第１の前記データフレームからなる前記格納領域と、
隣接する第２の前記データフレームからなる前記予備領域とからなり、
前記検出器は、
第１の前記制御情報単位における前記識別子を格納する第１記憶部と、
隣接する第２の前記制御情報単位における前記識別子を格納する第２記憶部と、
前記第１記憶部の前記識別子と前記第２記憶部の前記識別子との差が、前記単位格納領域を構成する前記データフレームの数より大きい場合を選択する演算部とを備えることを特徴とする付記８に記載の情報再生装置。
（付記１８）  前記単位格納領域は、
第１の前記データフレームからなる前記格納領域と、
隣接する第２の前記データフレームからなる前記予備領域とからなり、
前記検出器は、
前記格納領域に対応する前記識別子において前記制御情報単位の有無を検出する第１検出器と、
隣接する前記予備領域に対応する前記識別子において前記制御情報単位の有無を検出する第２検出器と、
１つの前記単位格納領域において、前記第１及び第２検出器の何れからも前記制御情報単位が検出される場合を選択する論理演算部とを備えることを特徴とする付記１０に記載の情報再生装置。
（付記１９）  前記単位格納領域は、
第１の前記データフレームからなる前記格納領域と、
隣接する第２の前記データフレームからなる前記予備領域とからなり、
前記検出器は、
第１の前記制御情報単位における前記識別子を格納する第１記憶部と、
隣接する第２の前記制御情報単位における前記識別子を格納する第２記憶部と、
前記第１記憶部の前記識別子と前記第２記憶部の前記識別子との差が、前記単位格納領域における前記格納領域に対応する前記識別子と、前記予備領域に対応する前記識別子との差に等しい場合を選択する演算部とを備えることを特徴とする付記１１又は１２に記載の情報再生装置。
（付記２０）  前記単位格納領域は、
第１の前記データフレームからなる前記格納領域と、
隣接する第２の前記データフレームからなる前記予備領域とからなり、
前記格納領域に対応する前記識別子において前記制御情報単位の有無を検出する第１検出器と、
隣接する前記予備領域に対応する前記識別子において前記制御情報単位の有無を検出する第２検出器と、
第１の前記単位格納領域において、前記第１及び第２検出器の何れからも前記制御情報単位が検出されない場合を選択する第１論理演算部と、
隣接する第２の前記単位格納領域において、前記第１及び第２検出器の何れからも前記制御情報単位が検出される場合を選択する第２論理演算部と、
隣接する２つの前記単位格納領域において、前記第１及び第２論理演算部の出力に基づき計数する計数器と、
前記計数器からの計数値と、前記特定制御情報単位の再検出動作を起動すべき所定計数値とを比較する比較器とを備えることを特徴とする付記１３に記載の情報再生装置。
（付記２１）  情報記録媒体上の所定数のデータフレーム群で構成される情報単位に付加される制御情報列であって、基本単位毎に分割された制御情報単位を、１つの前記データフレームを格納領域とし、他の１つ以上の前記データフレームを予備領域用の予備データフレームとする単位格納領域に格納してなる前記制御情報列を再生する際、前記制御情報列に含まれる特定制御情報単位の検出に基づく同期タイミングにより前記制御情報単位の検出を行う情報再生方法において、
前記制御情報単位には、前記データフレーム群内の所定の前記データフレーム位置に格納される所定制御情報単位を含み、
前記特定制御情報単位が格納されている前記データフレームを基準として前記データフレーム毎に対応する識別子を設定する設定工程と、
前記所定制御情報単位が検出される前記識別子が、前記所定のデータフレーム位置に対応しないことを検出する不一致検出工程とを有し、
前記不一致検出工程からの出力に基づき、前記特定制御情報単位の再検出を行うことを特徴とする情報再生方法。
（付記２２）  情報記録媒体上の所定数のデータフレーム群で構成される情報単位に付加される制御情報列であって、基本単位毎に分割された制御情報単位を、１つの前記データフレームを格納領域とし、他の１つ以上の前記データフレームを予備領域用の予備データフレームとする単位格納領域に格納してなる前記制御情報列を再生する際、前記制御情報列に含まれる特定制御情報単位の検出に基づく同期タイミングにより前記制御情報単位の検出を行う情報再生方法において、
前記特定制御情報単位が格納されている前記データフレームを基準として前記データフレーム毎に対応する識別子を設定する設定工程と、
前記制御情報単位が、前記識別子に対応する前記データフレームを含む前記単位格納領域毎に１対１に対応して検出されない場合に不一致検出を行う不一致検出工程とを有し、
前記不一致検出工程からの出力に基づき、前記特定制御情報単位の再検出を行うことを特徴とする情報再生方法。
（付記２３）  付記１乃至２０のうち少なくとも何れか１つに記載の情報再生装置を備え、あるいは付記２１、２２のうち少なくとも何れか１つに記載の情報再生方法を含むことを特徴とする情報記録媒体再生システム。
【０１３７】
【発明の効果】
本発明によれば、情報記録媒体上の制御情報の再生の際、同期マークの誤検出に伴うフレーム管理のずれを迅速且つ確実に検出し同期マークの再検出動作を行うことにより、制御情報列の正確な再生を行うことができる情報再生装置、及び情報記録媒体再生システムを提供することが可能となる。
【図面の簡単な説明】
【図１】  第１実施形態のＬＰＰ再生部の回路ブロック図である。
【図２】  第１実施形態の同期マーク誤検出カウンタ部の回路ブロック図である。
【図３】  第２実施形態のＬＰＰ再生部の回路ブロック図である。
【図４】  第２実施形態の同期マーク誤検出カウンタ部の回路ブロック図である。
【図５】  第３実施形態のＬＰＰ再生部の回路ブロック図である。
【図６】  第３実施形態の第１具体例のデータ抜け検出部の回路ブロック図である。
【図７】  第３実施形態の第２具体例のデータ抜け検出部の回路ブロック図である。
【図８】  第３実施形態の第３具体例のデータ抜け検出部の回路ブロック図である。
【図９】  第４実施形態のＬＰＰ再生部の回路ブロック図である。
【図１０】  第４実施形態の第１具体例のデータ二重検出部の回路ブロック図である。
【図１１】  第４実施形態の第２具体例のデータ二重検出部の回路ブロック図である。
【図１２】  第５実施形態のＬＰＰ再生部の回路ブロック図である。
【図１３】  第５実施形態のデータ抜け／二重検出部の回路ブロック図である。
【図１４】  本実施形態のＬＰＰ再生部を備えた情報記録媒体再生システムの構成図である。
【図１５】  ＬＰＰの１データセクタあたりのビット構成図である。
【図１６】  ＬＰＰの１データブロックあたりのデータ構成図である。
【図１７】  １データセクタにおけるトラックフォーマットを示す概念図である。
【図１８】  情報記録媒体上のＬＰＰの配置例を示す概念図である。
【図１９】  従来技術におけるＬＰＰ再生部の回路ブロック図である。
【図２０】  同期マーク誤検出時の説明図である。
【符号の説明】
１、２、３、４、５      ＬＰＰ再生部
１１                    同期マーク誤検出カウンタ部
１２                    Ｅｖｅｎ同期マーク誤検出器
１３                    Ｏｄｄ同期マーク誤検出器
１４                    誤検出カウンタ
１５                    再検出レベル部
１６、３４Ｃ、４２Ｂ  比較器
２１                    Ｏｄｄ領域データ検出カウンタ部
２２                    Ｏｄｄ領域データ検出器
２３                    Ｏｄｄ領域データ検出カウンタ
３１、３１Ａ、３１Ｂ、３１Ｃ
データ抜け検出部
３２Ａ                  Ｅｖｅｎ領域検出記憶部
３３Ａ                  Ｏｄｄ領域検出記憶部
３４Ａ、４２Ａ、５４、５５、５６
論理ゲート
３２Ｂ                  フレーム記憶レジスタ１
３３Ｂ                  フレーム記憶レジスタ２
３２Ｃ                  フレーム記憶レジスタ
３３Ｃ                  初期値設定回路
３４Ｂ                  減算器
３５                    データ抜け検出カウンタ
４１、４１Ａ、４１Ｂ    データ二重検出部
４５                    データ二重検出カウンタ
５１                    データ抜け／二重検出部
５２                    データ抜け記憶部
５３                    データ二重器億部
５７                    データ抜け／二重連続検出カウンタ
Ｆ０                    Ｅｖｅｎ／Ｏｄｄ識別信号
ＦＡ／Ｄ                アドレス／データ位置信号
ＬＳＹ                  同期マーク
Ｌａ／Ｌｄ              データビット信号
ＳＹ                    検出パルス
【図１】
0004145024.tif 000002
【図２】
0004145024.tif 000003
【図３】
0004145024.tif 000004
【図４】
0004145024.tif 000005
【図５】
0004145024.tif 000006
【図６】
0004145024.tif 000007
【図７】
0004145024.tif 000008
【図８】
0004145024.tif 000009
【図９】
0004145024.tif 000010
【図１０】
0004145024.tif 000011
【図１１】
0004145024.tif 000012
【図１２】
0004145024.tif 000013
【図１３】
0004145024.tif 000014
【図１４】
0004145024.tif 000015
【図１５】
0004145024.tif 000016
【図１６】
0004145024.tif 000017
【図１７】
0004145024.tif 000018
【図１８】
0004145024.tif 000019
【図１９】
0004145024.tif 000020
【図２０】
0004145024.tif 000021